(57)【要約】  ネットワークが、ユーザ装置（ＵＥ）が基準信号（ＳＲＳ）を送信するようにトリガする際に、それぞれがタイミング指示を有する複数のパラメータセットをＵＥに構成する。ＵＥのリソース割り当ては、複数のアップリンク（ＵＬ）サブフレームを許可し、これらのパラメータセットのうちの１つを識別／選択する。選択されたセットのタイミング指示は、１つの実施形態では割り当てられた／許可された短縮されたＵＬサブフレーム間でのみカウントを行うことによって、許可されたＵＬサブフレームのうちの１つを識別する。これにより、ＵＥがこの識別された短縮されたＵＬサブフレームでＳＲＳを送信するようにトリガする。１つの実施形態では、グラント内のＵＬサブフレームがいずれも短縮されていない場合、これによってＵＥが全ての割り当てられた／許可された複数のＵＬサブフレームに先行するサブフレームでＳＲＳを送信するようにトリガする。【選択図】図４Ａ
2019522916.tif 000002
【特許請求の範囲】
【請求項１】
基準信号及び／又はチャネル状態情報（ＣＳＩ）レポート及び／又はブロック確認応答の送信方法であって、
各セットがタイミング指示を含む複数のパラメータセットのコンフィギュレーションを受け取るステップと、
複数のアップリンクサブフレームを割り当てるグラントを受け取るステップと、
前記グラントに基づいて、前記複数の割り当てられたアップリンクサブフレームのうちのどのアップリンクサブフレームがその一部のみにおいて前記アップリンク送信が禁止されるように短縮されているかを判定するステップと、
前記グラントから、基準信号及び／又はＣＳＩレポート及び／又はブロック確認応答が要求されたと判定するステップと、
前記グラントから、前記複数のパラメータセットのうちの選択された１つのパラメータセットを判定するステップと、
前記複数の割り当てられたアップリンクサブフレームのうちのどのアップリンクサブフレームが短縮されているかについての前記判定に基づいて１つのアップリンクサブフレームを識別するステップと、
前記グラントによって要求された前記基準信号及び／又は前記ＣＳＩレポート及び／又はブロック確認応答を前記識別されたアップリンクサブフレームで送信するステップと、
を含むことを特徴とする方法。
【請求項２】
前記複数の割り当てられたアップリンクサブフレームがいずれも短縮されていないと判定された場合、前記識別されるアップリンクサブフレームは、全ての前記複数の割り当てられたアップリンクサブフレームの直前のアップリンクサブフレームである、
請求項１に記載の方法。
【請求項３】
前記複数の割り当てられたアップリンクサブフレームのうちの少なくとも１つのアップリンクサブフレームが短縮されていると判定され、前記識別される１つのアップリンクサブフレームは、前記選択されたパラメータセットからの前記タイミング指示を用いて、前記複数の割り当てられた短縮されたアップリンクサブフレームのみから識別される、
請求項１に記載の方法。
【請求項４】
前記パラメータセットの各々における前記タイミング指示は、前記複数の割り当てられたアップリンクサブフレームに対するサブフレームタイミングを示す、
請求項３に記載の方法。
【請求項５】
前記１つのアップリンクサブフレームを識別するステップは、前記選択されたパラメータセットからの前記タイミング指示の値に等しい数のサブフレームを、前記短縮されたアップリンクサブフレームのみの中でカウントするステップを含む、
請求項４に記載の方法。
【請求項６】
前記１つのアップリンクサブフレームを識別するステップは、前記選択されたパラメータセットからの前記タイミング指示の値と、前記複数のアップリンクフレームの中の短縮されたアップリンクフレームのみの総数とに対するモジュロ演算の結果に等しい数のサブフレームを、前記短縮されたアップリンクサブフレームのみの中でカウントするステップを含む、
請求項４に記載の方法。
【請求項７】
前記基準信号及び／又は前記ＣＳＩレポート及び／又はブロック確認応答は、前記複数のパラメータセットのうちの前記選択された１つのパラメータセットによって識別される１又は２以上のアンテナポートから送信される、
請求項１に記載の方法。
【請求項８】
前記複数のパラメータセットのうちの前記選択される１つのパラメータセットは、前記グラント内の正確に２ビットの値から決定される、
請求項１に記載の方法。
【請求項９】
前記方法は、前記基準信号及び／又は前記ＣＳＩレポート及び／又はブロック確認応答をアンライセンス無線スペクトル上で送信するユーザ装置によって実行される、
請求項１に記載の方法。
【請求項１０】
コンピュータプログラムコードを記憶したコンピュータ可読メモリであって、前記コンピュータプログラムコードは、ユーザ装置の１又は２以上のプロセッサによって実行された時に、前記ユーザ装置に請求項１に記載の方法を実行させる、
ことを特徴とするコンピュータ可読メモリ。
【請求項１１】
少なくとも１つのプロセッサと、
コンピュータプログラムコードを記憶する少なくとも１つのメモリと、
を備えた装置であって、前記少なくとも１つのプロセッサは、前記少なくとも１つのメモリ及び前記コンピュータプログラムコードと協働して、ユーザ装置（ＵＥ）に少なくとも、
各セットがタイミング指示を含む複数のパラメータセットのコンフィギュレーションと、複数のアップリンクサブフレームを割り当てるグラントとを受け取ったことに応答して、前記グラントに基づいて、前記複数の割り当てられたアップリンクサブフレームのうちのどのアップリンクサブフレームがその一部のみにおいて前記アップリンク送信が禁止されるように短縮されているかを判定するステップと、
前記グラントから、基準信号及び／又はＣＳＩレポート及び／又はブロック確認応答が要求されたと判定するステップと、
前記グラントから、前記複数のパラメータセットのうちの１つの選択されたパラメータセットを判定するステップと、
前記複数の割り当てられたアップリンクサブフレームのうちのどのアップリンクサブフレームが短縮されているかについての前記判定に基づいて１つのアップリンクサブフレームを識別するステップと、
前記グラントによって要求された前記基準信号及び／又は前記ＣＳＩレポート及び／又はブロック確認応答を前記識別されたアップリンクサブフレームで送信するステップと、
を行わせることによって、前記ＵＥに基準信号及び／又はチャネル状態情報（ＣＳＩ）レポート及び／又はブロック確認応答を送信させるように構成される、
ことを特徴とする装置。
【請求項１２】
前記複数の割り当てられたアップリンクサブフレームがいずれも短縮されていないと判定された場合、前記識別されるアップリンクサブフレームは、全ての前記複数の割り当てられたアップリンクサブフレームの前のアップリンクサブフレームである、
請求項１１に記載の装置。
【請求項１３】
前記複数の割り当てられたアップリンクサブフレームのうちの少なくとも１つのアップリンクサブフレームが短縮されていると判定され、前記識別される１つのアップリンクサブフレームは、前記選択されたパラメータセットからの前記タイミング指示を用いて、前記複数の割り当てられた短縮されたアップリンクサブフレームのみから識別される、
請求項１１に記載の装置。
【請求項１４】
前記パラメータセットの各々における前記タイミング指示は、前記複数の割り当てられたアップリンクサブフレームに対するサブフレームタイミングを示す、
請求項１３に記載の装置。
【請求項１５】
前記１つのアップリンクサブフレームを識別するステップは、前記選択されたパラメータセットからの前記タイミング指示の値に等しい数のサブフレームを、前記短縮されたアップリンクサブフレームのみの中でカウントするステップを含む、
請求項１４に記載の装置。
【請求項１６】
前記１つのアップリンクサブフレームを識別するステップは、前記選択されたパラメータセットからの前記タイミング指示の値と、前記複数のアップリンクフレームの中の短縮されたアップリンクフレームのみの総数とに対するモジュロ演算の結果に等しい数のサブフレームを、前記短縮アップリンクサブフレームのみの中でカウントするステップを含む、
請求項１４に記載の装置。
【請求項１７】
前記基準信号及び／又は前記ＣＳＩレポート及び／又はブロック確認応答は、前記複数のパラメータセットのうちの前記選択された１つのパラメータセットによって識別される１又は２以上のアンテナポートから送信される、
請求項１１に記載の装置。
【請求項１８】
前記複数のパラメータセットのうちの前記選択される１つのパラメータセットは、前記グラント内の正確に２ビットの値から決定される、
請求項１１に記載の装置。
【請求項１９】
前記方法は、前記基準信号及び／又は前記ＣＳＩレポート及び／又はブロック確認応答をアンライセンス無線スペクトル上で送信するユーザ装置によって実行される、
請求項１１に記載の装置。
【請求項２０】
基準信号及び／又はチャネル状態情報（ＣＳＩ）レポート及び／又はブロック確認応答の送信をトリガする方法であって、
各セットがタイミング指示を含む複数のパラメータセットのコンフィギュレーションをユーザ装置（ＵＥ）に送信するステップと、
ＵＥに対してスケジュールすべき複数のアップリンクサブフレームを決定するステップと、
ＵＥが基準信号及び／又はＣＳＩレポート及び／又はブロック確認応答を送信すべき１つのアップリンクサブフレームを識別するステップと、
前記複数のパラメータセットのうちの１つのパラメータセットを選択するステップであって、前記複数のアップリンクサブフレームのうちの少なくとも１つのアップリンクサブフレームが、その一部のみにおいてアップリンク送信が禁止されるように短縮されている場合、前記選択されたパラメータセットの前記タイミング指示が、前記複数のアップリンクサブフレームからの前記識別された１つのアップリンクサブフレームを示すステップと、
前記複数のアップリンクサブフレームに対して前記ＵＥをスケジュールして前記ＵＥが基準信号及び／又はＣＳＩレポート及び／又はブロック確認応答を送信するようにトリガするとともに、前記選択されたパラメータセットと、前記複数のアップリンクサブフレームのうちのどのアップリンクサブフレームが短縮されているかとをさらに識別するグラントを前記ＵＥに送信するステップと、
を含むことを特徴とする方法。
【請求項２１】
前記グラントが、前記複数の割り当てられたアップリンクサブフレームがいずれも短縮されていないと識別した場合、前記識別されるアップリンクサブフレームは、全ての前記複数の割り当てられたアップリンクサブフレームの前のアップリンクサブフレームである、
請求項２０に記載の方法。
【請求項２２】
前記グラントは、前記複数の割り当てられたアップリンクサブフレームのうちの少なくとも１つのアップリンクサブフレームが短縮されていると識別する、
請求項２０に記載の方法。
【請求項２３】
前記パラメータセットの各々における前記タイミング指示は、前記複数のアップリンクサブフレームに対するサブフレームタイミングを示し、前記選択されたパラメータセットの前記タイミング指示、及び前記グラントは、前記識別された１つのアップリンクサブフレームを示す、
請求項２２に記載の方法。
【請求項２４】
前記複数のパラメータセットのうちの前記１つのパラメータセットを選択するステップは、対応するタイミング指示の値が、前記短縮されたアップリンクサブフレームのみの中の短縮されたアップリンクサブフレームである前記識別された１つのアップリンクサブフレームまでのカウントに等しい、前記パラメータセットのうちの１つのパラメータセットを選択するステップを含む、
請求項２３に記載の方法。
【請求項２５】
前記複数のパラメータセットのうちの前記１つのパラメータセットを選択するステップは、対応するタイミング指示の値と、前記複数のアップリンクフレームの中の前記短縮アップリンクフレームのみの総数とに対するモジュロ演算の結果が、前記短縮アップリンクサブフレームのみの中の短縮アップリンクサブフレームである前記識別された１つのアップリンクサブフレームまでのカウントに等しい、前記パラメータセットのうちの１つのパラメータセットを選択するステップを含む、
請求項２３に記載の方法。
【請求項２６】
前記複数のパラメータセットのうちの選択された１つのパラメータセットは、前記基準信号及び／又は前記ＣＳＩレポート及び／又はブロック確認応答を送信すべき前記ＵＥの１又は２以上のアンテナポートを識別する、
請求項２０に記載の方法。
【請求項２７】
前記グラントは、正確に２ビットを用いて前記選択されたパラメータセットを識別する、
請求項２０に記載の方法。
【請求項２８】
前記方法は、前記グラントをアンライセンス無線スペクトル上で送信する無線アクセスノードによって実行される、
請求項２０に記載の方法。
【請求項２９】
コンピュータプログラムコードを記憶したコンピュータ可読メモリであって、前記コンピュータプログラムコードは、無線アクセスノードの１又は２以上のプロセッサによって実行された時に、前記無線アクセスノードに請求項２０に記載の方法を実行させる、
ことを特徴とするコンピュータ可読メモリ。
【請求項３０】
少なくとも１つのプロセッサと、
コンピュータプログラムコードを記憶する少なくとも１つのメモリと、
を備えた装置であって、前記少なくとも１つのプロセッサは、前記少なくとも１つのメモリ及び前記コンピュータプログラムコードと協働して、無線アクセスノードに少なくとも、
各セットがタイミング指示を含む複数のパラメータセットのコンフィギュレーションをユーザ装置（ＵＥ）に送信するステップと、
ＵＥに対してスケジュールすべき複数のアップリンクサブフレームを決定するステップと、
ＵＥが基準信号及び／又はＣＳＩレポート及び／又はブロック確認応答を送信すべき１つのアップリンクサブフレームを識別するステップと、
前記複数のパラメータセットのうちの１つのパラメータセットを選択するステップであって、前記複数のアップリンクサブフレームのうちの少なくとも１つのアップリンクサブフレームが、その一部のみにおいてアップリンク送信が禁止されるように短縮されている場合、前記選択されたパラメータセットの前記タイミング指示が、前記識別された１つのアップリンクサブフレームを示すステップと、
前記複数のアップリンクサブフレームに対して前記ＵＥをスケジュールして前記ＵＥが基準信号及び／又はＣＳＩレポート及び／又はブロック確認応答を送信するようにトリガするとともに、前記選択されたパラメータセットと、前記複数のアップリンクサブフレームのうちのどのアップリンクサブフレームが短縮されているかとをさらに識別するグラントを前記ＵＥに送信するステップと、
を行わせることによって、前記無線アクセスノードにに基準信号及び／又はチャネル状態情報（ＣＳＩ）レポート及び／又はブロック確認応答の送信をトリガさせるように構成される、
ことを特徴とする装置。
【請求項３１】
前記グラントが、前記複数の割り当てられたアップリンクサブフレームがいずれも短縮されていないと識別した場合、前記識別されるアップリンクサブフレームは、全ての前記複数の割り当てられたアップリンクサブフレームの前のアップリンクサブフレームである、
請求項３０に記載の装置。
【請求項３２】
前記グラントは、前記複数の割り当てられたアップリンクサブフレームのうちの少なくとも１つのアップリンクサブフレームが短縮されていると識別する、
請求項３０に記載の装置。
【請求項３３】
前記パラメータセットの各々における前記タイミング指示は、前記複数のアップリンクサブフレームに対するサブフレームタイミングを示し、前記選択されたパラメータセットの前記タイミング指示、及び前記グラントは、前記識別された１つのアップリンクサブフレームを示す、
請求項３２に記載の装置。
【請求項３４】
前記複数のパラメータセットのうちの前記１つのパラメータセットを選択するステップは、対応するタイミング指示の値が、前記短縮されたアップリンクサブフレームのみの中の短縮されたアップリンクサブフレームである前記識別された１つのアップリンクサブフレームまでのカウントに等しい、前記パラメータセットのうちの１つのパラメータセットを選択するステップを含む、
請求項３３に記載の装置。
【請求項３５】
前記複数のパラメータセットのうちの前記１つのパラメータセットを選択するステップは、対応するタイミング指示の値と、前記複数のアップリンクフレームの中の前記短縮アップリンクフレームのみの総数とに対するモジュロ演算の結果が、前記短縮アップリンクサブフレームのみの中の短縮アップリンクサブフレームである前記識別された１つのアップリンクサブフレームまでのカウントに等しい、前記パラメータセットのうちの１つのパラメータセットを選択するステップを含む、
請求項３３に記載の装置。
【請求項３６】
前記複数のパラメータセットのうちの前記選択された１つのパラメータセットは、前記基準信号及び／又は前記ＣＳＩレポート及び／又はブロック確認応答を送信すべき前記ＵＥの１又は２以上のアンテナポートを識別する、
請求項３０に記載の装置。
【請求項３７】
前記グラントは、正確に２ビットを用いて前記選択されたパラメータセットを識別する、
請求項３０に記載の装置。
【請求項３８】
前記方法は、前記グラントをアンライセンス無線スペクトル上で送信する無線アクセスノードによって実行される、
請求項３０に記載の装置。
【発明の詳細な説明】
【技術分野】
【０００１】
説明する発明は無線通信に関し、具体的には、アップリンク無線リソースの単一のグラントが所与のユーザ装置（ＵＥ）に複数のアップリンクサブフレームを許可する無線環境においてサウンディング基準信号（ＳＲＳ）及び／又は非周期的チャネル状態情報（Ａ−ＣＳＩ）レポート及び／又はブロック確認応答（ブロックＡＣＫ／ＮＡＣＫ）の送信をトリガすることに関する。
【背景技術】
【０００２】
本明細書で使用する頭字語については、詳細な説明の後に列挙する。Ｒｅｌ−１３  ＬＴＥ  ＬＡＡ（ライセンス補助アクセス）は、他の技術と共存して様々な規制要件を満たしながらライセンス補助によるアンライセンススペクトルへのアクセスを提供する。本明細書で使用するライセンス（ｌｉｃｅｎｓｅｄ）は、例えば従来のセルラー帯域などのためのライセンスを受けた無線スペクトルを意味し、アンライセンス（ｕｎｌｉｃｅｎｓｅｄ）は、例えば様々なＩＥＥＥ  ８０２．１１無線プロトコルを利用する従来の無線ローカルエリアネットワーキングが使用するようなライセンス不要な無線プロトコルを意味する。Ｒｅｌ−１３  ＬＡＡでは、アンライセンススペクトルを利用してＬＴＥ  ＤＬのスループットを改善する。この解決策では、ＤＬ  ＣＡコンフィギュレーションの一部としてＵＥに対して１又は２以上のＬＡＡ  ＤＬ  ＳＣｅｌｌを構成するが、ＰＣｅｌｌはライセンススペクトル上に存在する必要がある。
【０００３】
Ｅｒｉｃｓｓｏｎ社及びＨｕａｗｅｉ社による、ＬＴＥのための拡張ＬＡＡに関する新作業項目（Ｎｅｗ  Ｗｏｒｋ  ｉｔｅｍ  ｏｎ  ｅｎｈａｎｃｅｄ  ＬＡＡ  ｆｏｒ  ＬＴＥ）と題する文書ＲＰ−１５２２７２（３ＧＰＰ  ＴＳＧ  ＲＡＮ会議＃７０、スペイン、シッチェス、２０１５年１２月７日〜１０日）には、アンライセンス帯域におけるＵＬ動作が紹介されており、ＬＡＡにおけるＳＲＳ動作に関する多少の考察が含まれている。
【０００４】
これに関連して、ＭｕｌｔｅＦｉｒｅアライアンスは、ＭｕｌｔｅＦｉｒｅ  ＵＬがＳＲＳをサポートすることを１つの要件とする、（ライセンス帯域に補助用のＰＣｅｌｌが存在する必要があるＬＴＥ  ＬＡＡとは異なり）スタンドアロン型アンライセンス帯域動作になる予定のＭｕｌｔｅＦｉｒｅ技術の仕様を開発中である。一般に、ＭｕｌｔｅＦｉｒｅアライアンスは、ＬＴＥ  ＬＡＡからの特定のビルディングブロックを使用することによって進行しており、このアンライセンス帯域におけるＬＴＥ技術ベースのスタンドアロン動作の開発を促すために、必要に応じてＲｅｌ．１４  ｅＬＡＡからのビルディングブロックを使用することも予定している。
【０００５】
ＵＬサウンディング基準信号送信は、ＬＴＥシステムの動作の不可欠な部分である。ＬＴＥのＳＲＳは、（空間的及び多入力多出力（ＭＩＭＯ）リンク適応を含む）ＵＬリンク適応に使用され、チャネル相互関係（ｃｈａｎｎｅｌ  ｒｅｃｉｐｒｏｃｉｔｙ）を利用するＬＴＥ  ＴＤＤ／ＦＳ２（フレーム構造２）の場合にはＵＬサウンディングベースのＤＬプリコーディング及びリンク適応にも使用される。アンライセンス帯域のＳＲＳ動作も、同様の使用事例となるように開発中である。
【０００６】
ＵＬ  ＳＲＳは、無線フレームのいくつかの指定位置においてＵＥによって送信される。トリガタイプ１のＳＲＳであるＬＴＥの関連部分では、ＵＥが、上位層構成のパラメータ、及びＵＥのスケジューリング割り当てを搬送するＰＤＣＣＨの両方からＳＲＳをいつ送信すべきかを知る。具体的に言えば、ＵＥは、ＰＤＣＣＨで受け取ったＵＬリソースのグラントと、サブフレーム番号に対するＳＲＳ機会の周期性及びタイミングオフセットの上位層コンフィギュレーションとの組み合わせからＳＲＳをいつ送信すべきかを知る。しかしながら、ＬＴＥ  ＬＡＡ及びＭｕｌｔｅＦｉｒｅにおけるアンライセンス帯域動作では、単一のＰＤＣＣＨが所与のＵＥに複数のＵＬサブフレームを許可することができる。本発明者らの知る限り、今日までＬＴＥ  ＬＡＡもＭｕｌｔｅＦｉｒｅも、単一のリソースグラントが複数のＵＬサブフレームの割り当てを付与するＳＲＳ送信の問題に対処していない。
【先行技術文献】
【非特許文献】
【０００７】
【非特許文献１】Ｅｒｉｃｓｓｏｎ社及びＨｕａｗｅｉ社、文書ＲＰ−１５２２７２：ＬＴＥのための強化ＬＡＡに関する新作業項目（Ｎｅｗ  Ｗｏｒｋ  ｉｔｅｍ  ｏｎ  ｅｎｈａｎｃｅｄ  ＬＡＡ  ｆｏｒ  ＬＴＥ）、３ＧＰＰ  ＴＳＧ  ＲＡＮ会議＃７０、スペイン、シッチェス、２０１５年１２月７日〜１０日
【非特許文献２】３ＧＰＰ３６．２１３  ｖ１３．１．１、セクション８．２
【発明の概要】
【発明が解決しようとする課題】
【０００８】
通常、ネットワークが複数の許可されたＵＬサブフレームの各々でＳＲＳを受け取ることは、一般にこれらの複数のＵＬサブフレームの少なくともいくつかにわたってチャネル状態がコヒーレントになり、これら全てのチャネルコヒーレントなサブフレームにわたるチャネルを単一のＳＲＳによって十分に表すことができるという理由で有用ではない。仮に、ＵＥが常にこれらの複数のコヒーレントなＵＬサブフレームの各々でＳＲＳを送信した場合、一般にこれらのＳＲＳのうちの１つを除く全てが無駄なシグナリングに相当するようになる。同時に、一般に単一のＰＤＣＣＨにおける複数のＵＬグラントは高トラフィックのＵＥに付与され、従ってこれらのスケジュールイベントにおいてこれらの特定のＵＥからＳＲＳを受け取ることを完全に控えると、（正確なチャネルサウンディングを有していないことによって）最もビジーな接続におけるスループット効率が低下する傾向になる。当業では、単一のＰＤＣＣＨにおいて許可された複数のＵＬサブフレームのうちの（もしあれば）選択されたサブフレームのみでＳＲＳを送信するようにネットワークがＵＥに指示し又は別様にＵＥを制御し、アンライセンス帯域上の制御シグナリングにそれほど多くのオーバーヘッドを加えない効率的な形でこれを行う方法が必要とされている。後述するように、ＵＥがＳＲＳを送信するようにトリガするための本明細書における解決策は、ネットワークにＵＥのダウンリンクチャネルの品質に関する情報を与える非周期的チャネル状態情報（ＣＳＩ）レポート、又はブロックＡＣＫ／ＮＡＣＫをＵＥが送信するようにトリガするためにも極めて良好に機能する。
【課題を解決するための手段】
【０００９】
本教示の第１の態様では、基準信号及び／又はチャネル状態情報（ＣＳＩ）レポート及び／又はブロック確認応答の送信方法を提供する。この態様では、方法が、ａ）各セットがタイミング指示を含む複数のパラメータセットのコンフィギュレーションを受け取るステップと、ｂ）複数のアップリンクサブフレームを割り当てるグラントを受け取るステップと、ｃ）グラントに基づいて、複数の割り当てられたアップリンクサブフレームのうちのどのアップリンクサブフレームがその一部のみにおいてアップリンク送信が禁止されるように短縮されているかを判定するステップと、ｄ）グラントから、基準信号及び／又はＣＳＩレポート及び／又はブロック確認応答が要求されたと判定するステップと、ｅ）グラントから、複数のパラメータセットのうちの選択された１つのパラメータセットを判定するステップと、ｆ）複数の割り当てられたアップリンクサブフレームのうちのどのアップリンクサブフレームが短縮されているかについての判定に基づいて１つのアップリンクサブフレームを識別するステップと、ｇ）グラントによって要求された基準信号及び／又はＣＳＩレポート及び／又はブロック確認応答を識別されたアップリンクサブフレームで送信するステップとを含む。
【００１０】
本教示の第２の態様では、ユーザ装置の１又は２以上のプロセッサによって実行された時に、ユーザ装置に上記方法を実行させるコンピュータプログラムコードを記憶したコンピュータ可読メモリを提供する。
【００１１】
本教示の第３の態様では、少なくとも１つのプロセッサと、コンピュータプログラムコードを記憶する少なくとも１つのメモリとを含み、これらが全て協働して、ユーザ装置（ＵＥ）に基準信号及び／又はチャネル状態情報（ＣＳＩ）レポート及び／又はブロック確認応答を送信させるように構成された装置を提供する。より具体的には、これらは、ＵＥに少なくとも、各セットがタイミング指示を含む複数のパラメータセットのコンフィギュレーションと、複数のアップリンクサブフレームを割り当てるグラントとを受け取ったことに応答して、グラントに基づいて、複数の割り当てられたアップリンクサブフレームのうちのどのアップリンクサブフレームがその一部のみにおいてアップリンク送信が禁止されるように短縮されているかを判定することと、グラントから、基準信号及び／又はＣＳＩレポート及び／又はブロック確認応答が要求されたと判定することと、グラントから、複数のパラメータセットのうちの１つの選択されたパラメータセットを判定することと、複数の割り当てられたアップリンクサブフレームのうちのどのアップリンクサブフレームが短縮されているかについての判定に基づいて１つのアップリンクサブフレームを識別することと、グラントによって要求された基準信号及び／又はＣＳＩレポート及び／又はブロック確認応答を識別されたアップリンクサブフレームで送信することとを行わせるように構成される。
【００１２】
本教示の第４の態様では、基準信号及び／又はチャネル状態情報（ＣＳＩ）レポート及び／又はブロック確認応答の送信をトリガする方法を提供する。この態様では、方法が、ａ）各セットがタイミング指示を含む複数のパラメータセットのコンフィギュレーションをユーザ装置（ＵＥ）に送信するステップと、ｂ）ＵＥに対してスケジュールすべき複数のアップリンクサブフレームを決定するステップと、ｃ）ＵＥが基準信号及び／又はＣＳＩレポート及び／又はブロック確認応答を送信すべき１つのアップリンクサブフレームを識別するステップと、ｄ）複数のパラメータセットのうちの１つのパラメータセットを選択するステップであって、複数のアップリンクサブフレームのうちの少なくとも１つのアップリンクサブフレームが、その一部のみにおいてアップリンク送信が禁止されるように短縮されている場合、選択されたパラメータセットのタイミング指示が、複数のアップリンクサブフレームからの識別された１つのアップリンクサブフレームを示すステップと、ｅ）複数のアップリンクサブフレームに対してＵＥをスケジュールしてＵＥが基準信号及び／又はＣＳＩレポート及び／又はブロック確認応答を送信するようにトリガするとともに、選択されたパラメータセットと、複数のアップリンクサブフレームのうちのどのアップリンクサブフレームが短縮されているかとをさらに識別するグラントをＵＥに送信するステップとを含む。
【００１３】
本教示の第５の態様では、無線アクセスノードの１又は２以上のプロセッサによって実行された時に、無線アクセスノードに本教示の上記の第４の態様による方法を実行させるコンピュータプログラムコードを記憶したコンピュータ可読メモリを提供する。
【００１４】
本教示の第６の態様では、少なくとも１つのプロセッサと、コンピュータプログラムコードを記憶する少なくとも１つのメモリとを含み、これらが全て協働して、無線アクセスノードに基準信号及び／又はチャネル状態情報（ＣＳＩ）レポート及び／又はブロック確認応答の送信をトリガさせるように構成された装置を提供する。より具体的には、これらは、無線アクセスノードに少なくとも、各セットがタイミング指示を含む複数のパラメータセットのコンフィギュレーションをユーザ装置（ＵＥ）に送信することと、ＵＥに対してスケジュールすべき複数のアップリンクサブフレームを決定することと、ＵＥが基準信号及び／又はＣＳＩレポート及び／又はブロック確認応答を送信すべき１つのアップリンクサブフレームを識別することと、複数のパラメータセットのうちの１つのパラメータセットを選択することであって、複数のアップリンクサブフレームのうちの少なくとも１つのアップリンクサブフレームが、その一部のみにおいてアップリンク送信が禁止されるように短縮されている場合、選択されたパラメータセットのタイミング指示が、識別された１つのアップリンクサブフレームを示すことと、複数のアップリンクサブフレームに対してＵＥをスケジュールしてＵＥが基準信号及び／又はＣＳＩレポート及び／又はブロック確認応答を送信するようにトリガするとともに、選択されたパラメータセットと、複数のアップリンクサブフレームのうちのどのアップリンクサブフレームが短縮されているかとをさらに識別するグラントをＵＥに送信することとを行わせる。
【図面の簡単な説明】
【００１５】
【図１Ａ】本教示のいくつかの実施形態を実装するために使用できる２つの無線通信装置の例を示す概略図である。
【図１Ｂ】本明細書の例に関連する、ＰＤＣＣＨ、許可されたＵＬサブフレーム及び単一のサブフレーム内のシンボル位置を示す概略図である。
【図２】ＵＥがＳＲＳを送信するようにトリガするために循環演算又はモジュロ演算を適用できない第１の実施形態による、単一のグラントにおいて許可された複数の許可されたＵＬサブフレームの概略図である。
【図３】図２と同様の、ただし循環演算又はモジュロ演算を利用してＵＥがＳＲＳを送信するようにトリガする第２の実施形態による概略図である。
【図４Ａ】上記の教示の一部をＵＥの観点から要約したプロセスフロー図である。
【図４Ｂ】上記の教示の一部をサービングネットワーク無線アクセスノードの観点から要約したプロセスフロー図である。
【図５】本教示のいくつかを実施するのに適した特定の装置／デバイスを示す高水準概略ブロック図である。
【発明を実施するための形態】
【００１６】
以下のいくつかの例では、特にマルチサブフレームグラントＵＬスケジューリング動作を考慮した、アンライセンス帯域動作のためのＳＲＳ送信のトリガ機構について詳述する。これらの例がどのように機能できるかについて正確に説明する上での明確性を高めるためにＬＴＥ用語を利用するが、本明細書における幅広い教示ではＬＴＥ無線アクセス技術は限定因子ではなく、従ってＰＤＣＣＨ及びＰＵＳＣＨなどのＬＴＥ名称、並びにＬＴＥサブフレーム当たりのシンボル数なども限定的なものではない。
【００１７】
以下、これらの事項に馴染みのない読者のために、以下の例においてさらに完全に詳述する本発明者らのＳＲＳトリガ機構をさらに理解しやすくする背景としてＬＴＥ  ＬＡＡ／拡張（ｅｎｈａｎｃｅｄ）ＬＡＡにおけるＳＲＳに関するいくつかの合意の概要を示す。Ｒｅｌ−１４では、ｅＬＡＡのＳＲＳをＵＬサブフレームの最後のシンボルで送信すべきであることが合意されるとともに、ｅＬＡＡのＳＲＳはＵＬ帯域幅の（ほぼ）全体を通じて送信されるライセンス帯域ＬＴＥの波形を使用すべきであることがさらに合意された。２０ＭＨｚの場合、この全体的なｅＬＡＡ  ＵＬ帯域幅は１００個のＵＬ  ＰＲＢに対応し、ＳＲＳ帯域幅は９６個のＰＲＢに対応することができる。ｅＬＡＡでは、周波数選択的な狭帯域ＳＲＳ送信はサポートされていない（ただし、ライセンス帯域ＬＴＥ  ＳＲＳではサポートされている）。
【００１８】
さらに、２０１６年４月のＲＡＮ１会議＃８４の２では、以下のような他の複数の合意にも至っている。
・  ＳＲＳは、ＵＬサブフレーム内に存在する場合にはサブフレームの最後に送信される。
・  ｅＬＡＡでは、広帯域ＳＲＳ送信のみをサポートする。
−  所与のシステム帯域幅の既存の最大数のＳＲＳ  ＲＢが基準である。
・  レガシーな事例においてＲＢの数＞最大ＰＲＢ数に拡張／変更すべきか否かについてはさらに検討する。
・  １つの作業仮説は、ＳＲＳがレガシーな櫛形（ｃｏｍｂ）構造に基づくことである。
−  基準として、ｃｏｍｂ＝２及び４である。
−  異なるｃｏｍｂ値をサポートするか否かについてはさらに検討する。
【００１９】
図１Ａは、本教示の実施形態を実装するのに適した２つの通信装置の概略図である。サービング無線アクセスノード２０は、リソース割り当てグラントをダウンリンクで送信してＳＲＳのトリガも行う、無線分割（ｗｉｒｅｌｅｓｓ  ｄｉｖｉｄｅ）のネットワーク側を表す。図１Ａには、ＳＲＳをアップリンクで送信する（ＵＥ１０から見たダウンリンクチャネルの状態をネットワークに通知する非周期的ＣＱＩレポートも送信する）モバイル端末側を表すユーザ装置ＵＥ１０も示す。アクセスノードのセルにはさらなるＵＥが存在することもできるが、この説明では、これらの他のＵＥも、ネットワークから受け取る様々なシグナリングに関して、図示し説明するＵＥ１０と同様に動作する。以下の例では無線アクセスノード２０をｅＮＢと呼ぶが、このｅＮＢは、本明細書で説明するシグナリングがアンライセンススペクトルで行われる点で従来のＬＴＥ  ｅＮＢではなく、後述する特定のシグナリングも従来のＬＴＥのシグナリングではない。
【００２０】
図１Ｂは、ＤＬ制御チャネル上のＵＬグラント１１０（より一般的には、リソース割り当てグラント又はリソースグラント）と、この単一のＰＤＣＣＨによって許可された複数のＵＬサブフレーム１２０ａ〜ｄと、これらの許可されたＵＬサブフレーム１２０ａ〜ｄの各々などのＬＴＥサブフレーム内のシンボルとを示す概略図である。ＬＴＥ  ＬＡＡは、「通常」の長さのサイクリックプレフィックス（ＣＰ）のみをサポートし、従ってＬＴＥ  ＬＡＡにおける許可されたＵＬサブフレーム１２０ａ〜ｄは、サブフレームの時間的に最初の位置（ｆｉｒｓｔ−ｉｎ−ｔｉｍｅ  ｐｏｓｉｔｉｏｎ）のシンボルが（図１Ｂのｓｙｍｂ０で示す）位置＃０になり、他のシンボル位置についてもサブフレームの最後の位置＃１３まで以下同様になるように従来通りに＃０〜＃１３のインデックスを付けられた１４個のＯＦＤＭシンボル又は１４個のＳＣ−ＯＦＤＭシンボルを含む。３ＧＰＰ及びＭｕｌｔｅＦｉｒｅアライアンスは、単一のＵＬグラントを用いてこのようなＵＬマルチサブフレームスケジューリングをサポートすることに合意している。この動作では、（ＤＬ）制御負荷を低減して単一のＤＬサブフレームからの複数のＵＬサブフレームのスケジューリングを可能にするように、単一のＵＬグラント１１０が複数のＵＬサブフレームをスケジュールすることができる。このことは、ＵＬのトラフィックが混雑しており、関連するＵＬのアンライセンス帯域キャリアのＵＬ／ＤＬリソース分割が混雑している場合に最も有用であると思われる。
【００２１】
ＵＥは、サブフレームの最後のシンボル（ＵＬサブフレーム１２０ａ〜ｄのシンボル＃１３）でのＳＲＳ送信を可能にするために、他のいずれかのＵＥがＳＲＳを送信しているいずれかのサブフレーム内の最後のシンボルでＰＵＳＣＨを送信することはできない。このことは、独自のＳＲＳ送信を行うＵＥにとっては容易であるが、１つのＵＥがいずれかの所与のサブフレームでＳＲＳを送信している場合、セル内の他のＵＥは、たとえ独自のＳＲＳを送信していない場合でも、この他のＵＥのＳＲＳ送信と同じシンボル位置でＰＵＳＣＨを送信することはできないと理解することが重要である。
【００２２】
これにより、無線ネットワークは、たとえそのＵＥにＳＲＳ自体を送信するように要求していない場合でも、許可されたＵＬサブフレームでのＰＵＳＣＨ送信がシンボル位置＃１３にＰＵＳＣＨを含むべきでないかどうかを知らせることが必要になる。このことは、サブフレーム内の最後のＰＵＳＣＨシンボルについては動的指示が存在すべきであるという、既に３ＧＰＰで合意されている内容に一致する。具体的には、２０１６年４月のＲＡＮ１会議＃８４の２において以下のさらなる合意が得られており、中でも２番目の項目（ｂｕｌｌｅｔ）が最も関連性が高い。
・  動的シグナリングは、ＵＬサブフレーム内のＰＵＳＣＨが以下のいずれから送信されるかを示す。
・  ＤＦＴＳ−ＯＦＤＭシンボル０の先頭、又は、
・  ＤＦＴＳ−ＯＦＤＭシンボル１の先頭。
・  ＰＵＳＣＨをＤＦＴＳ−ＯＦＤＭシンボル０内で送信できるかどうかについてはさらに検討する。
・  動的シグナリングは、ＵＬサブフレーム内のＰＵＳＣＨがＯＦＤＭシンボル１３まで送信されるか、それともＯＦＤＭシンボル１２まで送信されるかを示す。
・  動的シグナリングは、上記のオプションのあらゆる組み合わせを可能にすることができる。
【００２３】
２０１６年４月のＲＡＮ１会議＃８４の２では以下のさらなる合意に至っているが、以下のイタリック体の項目は、図１Ｂの例に示すマルチサブフレームスケジューリング動作についてＳＲＳ要求／トリガ機構が依然として決着していないことを示す。
・  サブフレーム当たり１つのＴＢ又はサブフレーム当たり２つのＴＢを用いてｋ≦Ｎ個のサブフレームでＰＵＳＣＨ送信をスケジュールするためのＤＣＩフォーマット。
−  Ｎの値についてはさらに検討。
−  値Ｎは半静的に構成され又はハードコードされ、今後決定。
・  ＤＣＩフォーマットは、以下のスケジューリング情報タイプを有する。
−  タイプＡ：全てのスケジュールされた（ＤＣＩ内に１回のみ出現する）サブフレームに共通。
・  キャリアインジケータ、リソース割り当て、ＤＭ  ＲＳ及びＯＣＣインデックスのための循環シフト。
−  タイプＢ：（Ｎ個のサブフレームスケジューリングについてＮ回出現する）サブフレーム固有の情報。
・  ＮＤＩ。
−  ＭＣＳがタイプＡ又はタイプＢのいずれであるかについてはさらに検討。
−  ＨＡＲＱプロセス番号及び冗長性バージョンがタイプＡ又はタイプＢのいずれであるかについてはさらに検討。
−  スケジューリングタイミング指示の詳細及びこれがタイプＡ又はタイプＢのいずれであるかについてはさらに検討。
−  スケジュールされた（ＤＣＩ内に１回のみ出現する）サブフレームのうちの１つのみにタイプＣを適用すべきかどうかについてはさらに検討。
・  ＣＳＩ要求、ＳＲＳ要求、ＴＰＣ。
−  注：ＤＣＩには他の情報フィールドが存在することもでき、今後決定。
【００２４】
なお、上記のＤＣＩフォーマットは完全なリストではないと考えることができ、可能なＤＣＩは、ＰＵＳＣＨのリソース割り当てに関する３ＧＰＰでのさらなる議論に依存することができる。ＬＴＥでは、ＤＣＩフォーマットがＰＤＣＣＨのフォーマットを参照する。
【００２５】
本教示の実施形態は、ＵＥが動的ＰＵＳＣＨ割り当てシグナリングを考慮してＳＲＳを送信するようにトリガすることに関連する。この問題は、リソースグラントが１つのＵＬサブフレームしか割り当てない場合にはそれほど難しいものではなく、単一のＵＬサブフレームについて又は従来のＬＴＥの場合とは異なる形でＳＲＳをトリガすることができる。しかしながら、マルチサブフレームＵＬグラントの場合には、複数のスケジュールされたＵＬサブフレームのうちのいずれか１つ又は２つ以上にＳＲＳ要求を適用することができる。便宜上、単一のリソース割り当てグラントが、１よりも大きな整数であるｋ個のサブフレームを割り当てると想定する。以下でさらに詳述する本教示の実施形態は、ｅＬＡＡ及び／又はＭｕｌｔｅＦｉｒｅＵＬマルチサブフレームスケジューリングに適した効率的なＳＲＳ要求／トリガの設計をもたらす。アンライセンス帯域動作及び／又はマルチサブフレームスケジューリングについて定義されたルールに従って動作するように構成された５Ｇ  Ｎｅｗ  Ｒａｄｉｏなどの他のシステムにおいても同様の原理を適用することができる。具体的に言えば、以下の例では、引き続き十分な柔軟性をもたらしながら、割り当てられたＰＵＳＣＨサブフレームのうちのどのＰＵＳＣＨサブフレームでＳＲＳを送信すべきかをＵＥに効率的に示す方法について検討する。なお、本発明は、ライセンス帯域上のＬＴＥとは異なり、潜在的なＳＲＳ送信のための事前設定されたサブフレームの組が存在しないことを前提としており、すなわちどのサブフレームもＳＲＳ送信のために動的にトリガできる可能性がある。これにより、送信前に必要とされるリスンビフォアトーク、及び限られた送信バースト期間を考慮して、アンライセンス帯域上のリソース効率及び柔軟性を改善することができる。
【００２６】
１つの態様では、本教示の実施形態を、ＳＲＳタイミング及びＳＲＳ送信コンフィギュレーションのコンパクトな共同シグナリングと見なすことができる。ＵＥは、この共同シグナリングを、サブフレームの最後のシンボル、すなわち所与のＰＵＳＣＨサブフレームのシンボル＃１３でのＰＵＳＣＨ送信をこのＵＥが行うことができるか否かを示す別の動的シグナリングと組み合わせて解釈する。
【００２７】
初めに、単一のＵＬマルチサブフレームグラントではＵＥの１つのＳＲＳ送信しか要求できないことを前提とするが、この送信は１又は２以上のアンテナポートを用いて行うことができる。この前提は、上記の背景技術の節で述べたチャネルコヒーレンスの前提から得られるものであり、同じＵＬマルチサブフレームグラントに属するサブフレーム内のチャネル状態は高度に相関し、従ってこのＵＥからの単一のＳＲＳによって適切に表現されることが妥当である。
【００２８】
該当部分では、最初に１よりも大きな整数であるＪという数の異なるＳＲＳパラメータセットをＵＥに構成する。以下の具体例では、ＵＥにＪ＝３のＳＲＳパラメータセットを構成することができ、この数がｅＬＡＡを用いた実装にとって好ましい理由は、これを２ビットでシグナリングできるとともに、ＵＬ送信モード（ＴＭ）２動作のためのライセンス帯域における既に従来のＬＴＥではＳＲＳシグナリングに２ビットが使用されるからである。他の実施形態では、所与のマルチサブフレームＵＬグラントについてどのＳＲＳパラメータセットがアクティブであるかをＵＥに知らせるために３ビットを用いて実装できるＪ＝７のＳＲＳパラメータセットが存在することもできる。
【００２９】
１つの実施形態では、ＳＲＳパラメータセットが、例えば物理ＰＨＹレイヤ及び媒体アクセス制御ＭＡＣレイヤよりも上位の論理層である無線リソース制御（ＲＲＣ）シグナリングなどの上位層シグナリングを用いてＵＥのために構成される。複数のＳＲＳパラメータセットを利用すると、ネットワークがＳＲＳリソース使用の効率性及び柔軟性を向上できるようになる。通常、セル内の複数のＵＥには同じＳＲＳリソースが構成される。ｅＮＢは、どのＵＥがＳＲＳを送信するようにトリガされるかに応じてＳＲＳリソースを選択する。
【００３０】
ライセンス帯域における従来のＬＴＥ  ＵＬ  ＴＭ２動作もＳＲＳパラメータセットを使用するが、本教示によるパラメータセットは少なくとも以下の点で相違する。第１のこのような相違は、これらの例による各ＳＲＳパラメータセットが、スケジュールされた第１のＵＬサブフレームに関してＳＲＳがどのＵＬサブフレームで送信されるように要求されているかを示す時間成分パラメータを含む点である。従来のＬＴＥ  ＵＬ動作では、ＳＲＳパラメータセットが、ＵＥがＳＲＳを送信できるサブフレームの周期性及びサブフレームオフセットを示すパラメータを含む。このタイミングは、サブフレーム番号に関して、すなわち無線フレーム時間に関連して示される。ＵＬマルチサブフレームスケジューリングの柔軟性に起因して、ＳＲＳパラメータセットの定義及び適用には高レベルの柔軟性を持たせることが望ましい。従って、シンボル１２を用いたＰＵＳＣＨ送信を終了するスケジュールされたサブフレームに関してＳＲＳサブフレーム指示が行われ、ＵＥは、シンボル位置＃１３でのＰＵＳＣＨの送信がどのＰＵＳＣＨサブフレームで制限されるかをネットワークからの他の動的シグナリングによって伝えられる。通常、動的シグナリングフィールド（すなわち、ＳＲＳのトリガ及びＰＵＳＣＨの短縮）は、いずれも同じＵＬリソース割り当てグラントに含まれる。
【００３１】
各パラメータセットは、ＰＵＳＣＨがシンボル位置＃１２で終了しているＵＬ  ＳＦグラント内のｘ番目のＵＬサブフレームに関連し、これらは「短縮された」ＵＬサブフレームである。従って、例えば、シンボル１２で終了する１番目又は２番目又は３番目（など）のスケジュールされたＰＵＳＣＨサブフレームには何らかの特定のＳＲＳ要求が適用される。ｘの値は、異なるＳＲＳパラメータセットの各々におけるＲＲＣ設定パラメータのうちの１つである。
【００３２】
例えばＳＲＳ帯域幅（ＢＷ）及び周波数位置などの、従来のＬＴＥ  ＳＲＳパラメータセットのいくつかのパラメータは、本教示のアンライセンス帯域展開のための実装に必要でない場合もある。例えば、上述したように、従来の／ライセンス帯域の３ＧＰＰ  ｅＬＡＡでは広帯域ＳＲＳ送信しかサポートされていない。これは、３ＧＰＰ  ｅＬＡＡの解決策がＲＲＣシグナリングに関連するパラメータを含まない形で実装することができる。別のオプションは、現在のＲＲＣシグナリングを変更しないまま、３ＧＰＰ  ｅＬＡＡのルールに従って行う設定をｅＮＢに任せることである。現在のＲＲＣシグナリングを使用する際にｅＮＢの有効なパラメータ値を定義することも可能である。
【００３３】
アンライセンス帯域で送信されるＵＬマルチサブフレームグラントは、２ビットのＳＲＳトリガを含む。上述したように、他の実施形態では、この２ビットのＳＲＳトリガを、無線アクセスノード２０及びＵＥ１０にローカルに記憶されているリスト内にどれだけのＳＲＳパラメータセットが存在するかに応じて３ビットトリガ又は他の何らかのビット数とすることもできる。ＬＴＥトリガ機構を異なるＳＲＳセットに再利用できるように本教示をｅＬＡＡ  ＬＴＥに容易に適応させるには２ビットが好ましい。本教示の実施形態がＬＴＥ  ＳＲＳパラメータセットを直接（ただし、少なくともタイミングパラメータを含めるように修正して）採用する場合には、３ＧＰＰ  ＴＳ３６．２１３  ｖ１３．１．１のセクション８．２  ＵＥサウンディング手順の表８．１．１に提供される以下のビット値を使用することができる（３ＧＰＰ３６．２１３  ｖ１３．１．１のセクション８．２は、本明細書に再記述されているかのように引用により本明細書に組み入れられる）。
【００３４】
【表１】
2019522916.tif 000003
ＤＣＩフォーマット４におけるトリガタイプ１のＳＲＳ要求値
【００３５】
ＵＥは、２ビット（又は他のビット数）のＳＲＳトリガのみに基づいてＳＲＳ送信のためのＵＬサブフレームを識別することはできず、ＳＲＳトリガ値は、パラメータセットリストからどのパラメータセットを選択すべきであるかしかＵＥに示さない。複数の許可されたＵＬサブフレームのうちのＳＲＳ送信をトリガするサブフレームは、示された適用可能なＳＲＳパラメータセット（具体的にはタイミングパラメータｘの値）をシンボル１２で終了するＰＵＳＣＨサブフレーム（例えば、シンボル位置＃１３でのＰＵＳＣＨ送信が禁じられたＰＵＳＣＨサブフレーム）に関する情報と組み合わせた時にしか決定されない。
【００３６】
１つの特定の実施形態では、ＵＥが、モジュロ／循環演算を用いてＮ個の多重許可された（ｍｕｌｔｉｐｌｅ−ｇｒａｎｔｅｄ）ＵＬサブフレームの中からＳＲＳサブフレームを決定し、これによって少数の短縮されたＰＵＳＣＨサブフレームのＳＲＳ要求の柔軟性を高める。なお、短縮されたＰＵＳＣＨサブフレームの数は、連続するマルチサブフレームスケジューリング間で変化することができる。本明細書で説明する解決策は、以下でさらに詳細に説明するモジュロ／循環演算の結果、ｅＮＢがｋ個の多重許可されたＵＬサブフレームの中で１つの短縮されたＰＵＳＣＨサブフレームしかスケジュールしない事例にも拡張される。このことは、短縮されたＰＵＳＣＨサブフレームが１つしか存在しない場合にもＵＥが全てのＳＲＳパラメータセットを利用できることを意味する。
【００３７】
ＵＥは、複数のアンテナポートを用いてＳＲＳを送信するようにネットワークによって構成されている場合、これらの構成された全てのアンテナポートから同じＵＬサブフレームでＳＲＳを送信する。複数のアンテナポートの場合にも、異なるＳＲＳパラメータセットが異なる短縮されたＰＵＳＣＨサブフレームに関連し得ることは明らかである。別の実施形態では、異なるＳＲＳパラメータセットのために、ＵＥに異なるＭＩＭＯプロファイルを構成することができる。この例として、１つのＳＲＳパラメータセットには単一アンテナポートＳＲＳを構成する一方で、他の２つのパラメータセットにはそれぞれマルチアンテナポートＳＲＳを構成することができる。
【００３８】
上述したように、これらのタイミング及びトリガ機構は、ＵＥが非周期的ＣＳＩレポート（Ａ−ＣＳＩ）及び／又はブロック確認応答を送信するようにトリガするために使用することもできる。ブロック確認応答は、全ての関連するＤＬ  ＨＡＲＱプロセスのためのＨＡＲＱ確認応答（又はＨＡＲＱ否定応答）を含み、ブロックＡＣＫ／ＮＡＣＫを送信するためのトリガをｅＮＢからのＵＬグラントで受け取った後にＵＥによって送信される。関連するＤＬ  ＨＡＲＱプロセスは、全てのＤＬ  ＨＡＲＱプロセス、又は使用中の全てのＤＬ  ＨＡＲＱプロセス、或いはＤＬ  ＨＡＲＱプロセスの他の何らかの一部とすることができる。しかしながら、ブロックＡＣＫ／ＮＡＣＫに含めるべき関連するＤＬ  ＨＡＲＱプロセスの正確な定義は本発明の範囲外である。具体的には、ネットワークからのリソース割り当てがＵＥに複数のＵＬサブフレームを許可するとともに、ＵＥがＡ−ＣＳＩ及び／又はブロックＡＣＫ／ＮＡＣＫを送信するようにさらにトリガする場合、上記のシグナリング機構を用いて、これらの複数の許可されたＵＬサブフレームのうち、Ａ−ＣＳＩレポート及び／又はブロックＡＣＫ／ＮＡＣＫを送信すべきサブフレームがどれであるかをＵＥに対して識別することができる。ＳＲＳ送信と組み合わせた場合には、これらの多重許可されたＵＬサブフレームのうち、Ａ−ＣＳＩレポート及び／又はブロックＡＣＫ／ＮＡＣＫを送信すべきサブフレームがどれであるかを全く同じシグナリングビットによってＵＥに通知することができ、従ってこれらの送信のうちのどちらの送信がグラントによってトリガされた場合でも同じＵＬサブフレームで送信できるようになる。
【００３９】
Ａ−ＣＳＩレポート及び／又はブロックＡＣＫ／ＮＡＣＫは、短縮されたＰＵＳＣＨサブフレームで送信する必要がないという意味でＳＲＳとは異なる。Ａ−ＣＳＩレポート及び／又はブロックＡＣＫ／ＮＡＣＫは、あらゆるスケジュールされたサブフレームで送信することができる。別の方法は、ＳＲＳと同じシグナリングビットを共有する一方で、Ａ−ＣＳＩレポート及び／又はブロックＡＣＫ／ＮＡＣＫについて別様にビットを解釈することである。このビットは、スケジュールされた短縮されたＰＵＳＣＨサブフレームに対してＳＲＳサブフレームを示すパラメータｘを有する代わりに、Ａ−ＣＳＩレポート及び／又はブロックＡＣＫ／ＮＡＣＫのための全てのスケジュールされたＰＵＳＣＨサブフレームに対する指示として解釈することもできる。この場合、シグナリングビットは、短縮されたＰＵＳＣＨサブフレームに関する情報と共に解釈する必要はない。
【００４０】
ＳＲＳとＡ−ＣＳＩレポート及び／又はブロックＡＣＫ／ＮＡＣＫとの相違を考慮すると、同じシグナリングビットを共有する代わりに、これらの各々に別個のシグナリングビットを使用することができ、或いはこれらのうちのいずれか２つが同じシグナリングビットを共有する一方で、依然としてシグナリング機構は説明したような同じ原理に従うこともできる。サブフレーム指示を含むパラメータセットも別個に構成することができる。例えば、今日では既にＵＬリソース割り当てグラント内にＡ−ＣＳＩのトリガビットが存在しており、これを潜在的に再利用又は修正してサブフレームを示すこともできる。
【００４１】
以下は、ＵＥ１０の観点からのシグナリング機構及び結果として生じる動作について要約したものであり、ＵＬマルチサブフレームスケジューリングの適用時にＳＲＳ（又は非周期的ＣＳＩレポート又はブロック確認応答）を送信する方法を表す。最初に、ＵＥが、タイミング指示を含むＳＲＳ（及び／又はＡ−ＣＳＩ及び／又はブロック確認応答）パラメータセットコンフィギュレーションを受け取る。上記の例では、このコンフィギュレーションが、セル内のＵＥのＲＲＣコンフィギュレーションなどを介した上位層シグナリングを用いてＵＥに送信される。さらに、上記の例では、タイミング指示が、（ＰＵＳＣＨがシンボル位置＃１３を許可されない）末尾から短縮されたスケジュールされたＰＵＳＣＨサブフレームに関連する。
【００４２】
次に、ＵＥは、ＵＬマルチサブフレームグラントに基づいて、シンボル位置＃１３でのＰＵＳＣＨ送信が許可されないＵＬサブフレーム（すなわち、短縮されたＰＵＳＣＨサブフレーム）を判定する。ＵＥは、この同じＵＬマルチサブフレームグラントに基づいて、ネットワークがＳＲＳ送信を要求しているかどうかも判定し、ＳＲＳ送信が要求されている場合には、ＵＬマルチサブフレームグラントから、どのＳＲＳパラメータセット（例えば、２ビット値又は３ビット値）が使用されるかをさらに判定する。
【００４３】
次に、ＵＥは、この判定されたＳＲＳパラメータセットから、グラントによって割り当てられた他の短縮されたＰＵＳＣＨサブフレームに対するＳＲＳを送信すべき短縮されたＰＵＳＣＨサブフレームを示すパラメータｘの値を求める。従って、例えばビット値「１１」によって識別されるＳＲＳパラメータセットは、グラントによって割り当てられた３番目の短縮されたＵＬサブフレームでＳＲＳを送信すべきである旨をＵＥに示すパラメータｘ＝３を有し、ビット値「１０」によって識別されるＳＲＳパラメータセットは、グラントによって割り当てられた２番目の短縮されたＵＬサブフレームでＳＲＳを送信すべきである旨をＵＥに示すパラメータｘ＝２を有する（ここでの「短縮された」は、このサブフレームについてシンボル位置＃１３でのＰＵＳＣＨ送信が禁止されていることを意味する）。以下のモジュロ演算を利用する実施形態では、グラントによって割り当てられた短縮されたＵＬサブフレームをｘの値によって直接示すのではなく、ＳＲＳのための特定のサブフレームが、この直後に詳述するようなｎの値によって示される。明確にするために、ＳＲＳパラメータセットで伝えられるパラメータをｘと呼び、ＳＲＳ送信のための特定の短縮されたサブフレームをｎと呼び、従って最も単純な非モジュロ演算の実装では、上記の例についてｎ＝ｘが成り立つ。
【００４４】
この時点で、ＵＥは、シンボル＃１３でのＰＵＳＣＨ送信が許可されていない判定されたＵＬサブフレームとパラメータｘとに基づいて、ＳＲＳ送信のためのＵＬサブフレームを容易に決定することができる。第１の実施形態では、ｎ＝ｘが、或いはさらに一般的に言えばＳＲＳ送信のための特定のＵＬサブフレームの決定がモジュロ演算を伴わず、別の第２の実施形態では、このＳＲＳ送信のためのＵＬサブフレームの決定がモジュロ／循環演算を含むことができる。後者の例として、シンボル＃１３でのＰＵＳＣＨ送信が許可されていないｎ番目のサブフレームでＳＲＳを送信すべき場合には、正の整数ｎをｎ＝ｍｏｄ（ｘ，シンボル＃１３でのＰＵＳＣＨ送信が許可されていないＵＬサブフレームの数）として定義することができ、この場合、ｘの値は選択されたパラメータセットにおいて与えられ、短縮されたＵＬサブフレームの数はグラント自体によって与えられる。
【００４５】
この時点で、多重許可されたＵＬサブフレームのうちの特定の（短縮された）ＵＬサブフレームが識別されており、従ってＵＥは、決定されたＳＲＳ送信のためのＵＬサブフレームでＳＲＳを（また、グラントがＡ−ＣＳＩもトリガした場合にはＡ−ＣＳＩも）送信する。選択されたＳＲＳパラメータセットに含まれているタイミングパラメータ以外のＳＲＳパラメータ（例えば、ＳＲＳシーケンス、ＩＦＤＭＡ-ｃｏｍｂ及び循環シフトなどを識別するパラメータ）も、決定されたＳＲＳパラメータセットと同様に構成される。
【００４６】
上述したＵＥの観点からの方法は、コンピュータ可読メモリに有形的に記憶されている本教示を実装するためのソフトウェアプログラムのコンピュータコードによって実行される機能、或いは１又は２以上のプロセッサがソフトウェアコンピュータコードを記憶している１又は２以上のコンピュータ可読メモリと協働して実行するようなＵＥの動作を制御する機能を表すこともできる。
【００４７】
次に、無線アクセスノード２０などのネットワークの観点からのシグナリング機構及び関連する動作について要約し、ＵＬマルチサブフレームスケジューリングの適用時にＵＥがＳＲＳ（又は非周期的ＣＳＩレポート）を送信するようにトリガする方法を示す。最初に、ネットワークが、ＵＥのためのタイミング指示を含むＳＲＳパラメータセットコンフィギュレーションをＵＥに送信する。上述したように、いくつかの実施形態では、このコンフィギュレーションが、ＵＥのＲＲＣコンフィギュレーションなどの上位層シグナリングを用いてＵＥに送信される。上記の例では、タイミング指示が、スケジュールされた短縮されたＰＵＳＣＨサブフレームの数に関連する。
【００４８】
ＵＥにＳＲＳパラメータセットのリストが構成されると、ネットワークは、ＵＥに対してスケジュールすべき複数のＵＬサブフレームを決定し、これらの複数のＵＬサブフレームのうち、短縮されたサブフレーム（例えば、シンボル位置＃１３でのＰＵＳＣＨ送信が許可されないサブフレーム）にすべきＵＬサブフレームも決定する。ネットワークは、このＵＥからのＳＲＳ送信が必要であることも決定した場合、ＵＥがスケジュールされた短縮されたＵＬサブフレームのうちのどのＵＬサブフレームでこのＳＲＳを送信すべきかをさらに決定又は選択する。上述したように、このＵＬサブフレームはｎ番目の短縮されたＵＬサブフレームと呼ばれ、従ってネットワークは、このステップにおいてｎの値を決定する。展開される実施形態において、伝えられた値ｘに対してＵＥがモジュロ演算を実行すべきである場合、ネットワークは、ｎ＝ｍｏｄ（ｘ，シンボル＃１３でのＰＵＳＣＨ送信が許可されていないＵＬサブフレームの数）に従ってｘを求める。そうではなく、展開される実施形態において、ＵＥがモジュロ演算を使用しない予定である場合、ネットワークは、ｘをｎ＝ｘとして求め、この場合、ｘは、他の許可された短縮されたＵＬサブフレームに対する正確な短縮されたＵＬサブフレームを直接識別する。当然ながら、これらは２つの非限定的な具体例である。モジュロ演算の１つの利点は、以下で図３に関して詳述するように、わずかな数の短縮されたＵＬサブフレームしかスケジュールされていない場合に複数のＳＲＳパラメータセットを適用できる点である。
【００４９】
この時点でｘが既知となり、ネットワークは、ｘに対応するＳＲＳパラメータセット（例えば、上記のようなネットワークによって発見されたｘの値に一致するパラメータｘの値を含むＳＲＳパラメータセット）を選択する。ネットワークは、（シンボル＃１３でのＰＵＳＣＨ送信が許可されない）スケジュールされた短縮されたＵＬサブフレームの指示と、選択されたＳＲＳパラメータセットの指示とを含むマルチサブフレームＵＬグラントをＵＥに送信することによって動作を完了する。ＵＥが指示通りに送信を行う限り、ネットワークは、指示されたＳＲＳパラメータセットと、シンボル＃１３でのＰＵＳＣＨ送信が許可されないスケジュールされたＵＬサブフレームの指示との組み合わせに基づくＳＲＳをＵＥから受け取る。
【００５０】
上述したネットワークの観点からの方法は、コンピュータ可読メモリに有形的に記憶されている本教示を実装するためのソフトウェアプログラムのコンピュータコードによって実行される機能、或いは１又は２以上のプロセッサがソフトウェアコンピュータコードを記憶している１又は２以上のコンピュータ可読メモリと協働して実行するような無線アクセスノード２０の動作を制御する機能を表すこともできる。
【００５１】
次に、ｎ＝ｘである実施形態とｎ＝ｍｏｄ（ｘ，シンボル＃１３でのＰＵＳＣＨ送信が許可されていないＵＬサブフレームの数）である実施形態との相違を図２及び図３にそれぞれ示す具体例について検討する。図２に示す非モジュロ演算を第１の実施形態と見なし、図３に示すモジュロ演算を第２の実施形態と見なす。この例では、ネットワークが、ＵＥに３つのＳＲＳパラメータセットを構成し、サブフレーム＃Ｍから開始する４つのＵＬサブフレームを割り当てる単一のリソースグラントをＵＥに送信する。
【００５２】
この例では、ＵＥ１０に構成される３つのＳＲＳパラメータセットが以下の通りである。
・  セット１：第１の短縮されたＰＵＳＣＨサブフレームでのＳＲＳ送信を示すパラメータｘ（ｘ＝１）を含む汎用ＳＲＳパラメータセット１（ＩＦＤＭＡ-ｃｏｍｂ１、循環シフト１など）
・  セット２：第２の短縮されたＰＵＳＣＨサブフレームでのＳＲＳ送信を示すパラメータｘ（ｘ＝２）を含む汎用ＳＲＳパラメータセット２（ＩＦＤＭＡ-ｃｏｍｂ２、循環シフト２など）
・  セット３：第３の短縮されたＰＵＳＣＨサブフレームでのＳＲＳ送信を示すパラメータｘ（ｘ＝３）を含む汎用ＳＲＳパラメータセット３（ＩＦＤＭＡ-ｃｏｍｂ３、循環シフト３など）
【００５３】
これらの異なるＳＲＳパラメータセットは、ある程度まで同じパラメータ値を使用することができ、各セットが他のセットと少なくとも１つのパラメータ値だけ異なっていれば十分である。
【００５４】
ＵＥが複数のアンテナポートからＳＲＳを送信するように構成されている時には、ＲＲＣシグナリングを介して明示的に構成された１つのセットに固有の循環シフト及びｃｏｍｂ値から各アンテナポートのＳＲＳ送信パラメータを非明示的に導出することができる。或いは、ネットワークが（例えば、ＲＲＣシグナリングを介して）ＳＲＳパラメータセット及びアンテナポート毎にアンテナポートを明示的に構成することもできる。
【００５５】
さらに、この例では、単一のマルチサブフレームグラントによって割り当てられた４つのＵＬサブフレームのうち、シンボル＃１３でのＰＵＳＣＨ送信が許可されていないサブフレームが正確に２つ存在する。これらの短縮されたサブフレームはサブフレームＭ及びＭ＋２であり、これらはＵＬマルチサブフレームグラント自体において明確に識別される。
【００５６】
図２の第１の実施形態では、上記のＳＲＳパラメータセット２がビット値「１０」を用いてＵＥにシグナリングされると想定する。この実施形態ではモジュロ演算を使用せず、ｎ＝ｘであり、ＳＲＳパラメータセット２ではｘの値が２である。ＳＲＳのための特定のＵＬサブフレームはｎであり、この第１の実施形態ではｎ＝ｘであるため、ＵＥがＳＲＳを送信すべき場合にシンボル＃１３でのＰＵＳＣＨ送信が許可されないのは２番目のサブフレームである。この例では、この特定のサブフレームがサブフレームＭ＋２である。グラントがＭ、Ｍ＋１、Ｍ＋２及びＭ＋３という４つの連続するＵＬサブフレームを割り当てると仮定すれば、サブフレームＭ＋２は３番目のスケジュールされたＵＬサブフレームであるが、このサブフレームはグラントが割り当てた２番目の短縮されたＵＬサブフレームにすぎず、ｎの値がカウントするのは短縮されたＵＬサブフレームである。
【００５７】
このことを示す図２には、グラントによって割り当てられたＵＬサブフレームが全部でｋ＝４個存在し、サブフレームＭ及びＭ＋２のみが短縮されたサブフレームであり（従って、グラントがＵＥに割り当てた短縮されたＵＬサブフレームは２つ存在し）、上記の相対的タイミング指示ｘ＝２であるパラメータセット２は、これらの短縮されたサブフレームのうちの（この第１の実施形態ではｎ＝ｘであるため）２番目のサブフレームを、ＵＥがＳＲＳを（また、スケジューリンググラントがさらに要求していた場合にはＡ−ＣＳＩレポート及び／又はＡＣＫ／ＮＡＣＫも）送信すべきサブフレームとして識別する。この図２の例では、ＵＥが、上記のＳＲＳパラメータセット２全体で定義されたさらなるパラメータ、すなわちＩＦＤＭＡ-ｃｏｍｂ２、循環シフト２などを用いてＰＵＳＣＨ  ＵＬサブフレームＭ＋２でＳＲＳを送信する。このＳＲＳ例の他の適応／変形では、ＳＲＳをトリガした同じリソースグラントによってどのフィードバック（Ａ−ＣＳＩ及び／又はブロックＡＣＫ／ＮＡＣＫ）レポートがトリガされた場合でも、ＵＥはやはりＰＵＳＣＨ  ＵＬサブフレームＭ＋２で送信を行う。
【００５８】
ＵＥのＳＲＳ送信のためのサブフレームＭ＋２の決定は、ＵＬサブフレームのスケジューリング割り当て（これらのうちの１つ又は２つ以上が短縮される）と、ｘ個の短縮されたＵＬサブフレームを含む全体的なＵＬグラントに照らして特定のサブフレームのみを相対的に選択する選択されたＳＲＳパラメータセットという動的にシグナリングされる指示を両方とも考慮しているという理由で、組み合わせシグナリングの原理を利用する。
【００５９】
図３の第２の実施形態では、上記のＳＲＳパラメータセット３がビット値「１１」を用いてＵＥにシグナリングされると想定する。この実施形態ではモジュロ演算を使用し、ｎ＝ｍｏｄ（ｘ，シンボル＃１３でのＰＵＳＣＨ送信が許可されていないＵＬサブフレームの数）であり、ＳＲＳパラメータセット３では相対的タイミング指示の値がｘ＝３であり、グラント内に合計２つの短縮されたＵＬサブフレームが存在する。従って、ＵＥがＳＲＳを送信すべきサブフレームはｎ＝ｍｏｄ（ｘ＝３，２）によって与えられ、この結果ｎ＝１である。
【００６０】
上記に及び図３に示すように、ｋ＝４の割り当てられたＵＬサブフレームはＭ、Ｍ＋１、Ｍ＋２及びＭ＋３であり、このうちＭ及びＭ＋２のみが短縮されている。ｎの値は、これらの短縮されたサブフレームのうちのどのサブフレームでＵＥがＳＲＳを送信すべきかを識別し、図３にはＳＲＳがサブフレームＭで送信されることを示す。この図３の例では、ＵＥが、上記のＳＲＳパラメータセット３全体、すなわちＩＦＤＭＡ-ｃｏｍｂ３、循環シフト３などを用いてＰＵＳＣＨ  ＵＬサブフレームＭでＳＲＳを送信する。このＳＲＳ例の他の適応／変形では、ＳＲＳをトリガした同じリソースグラントによってどのフィードバック（Ａ−ＣＳＩ及び／又はブロックＡＣＫ／ＮＡＣＫ）レポートがトリガされた場合でも、ＵＥはやはりＰＵＳＣＨ  ＵＬサブフレームＭで送信を行う。
【００６１】
この短縮されたＰＵＳＣＨサブフレームをグラント内に２つしか有していない例では、この第２の実施形態において適用されるモジュロ演算に起因して、ｅＮＢ／無線アクセスノード２０が、サブフレーム＃１３でのＰＵＳＣＨ送信が許可されていないｎ＝１番目のサブフレームでＳＲＳをトリガするために、それぞれが同じ結果ｎ＝ｍｏｄ（ｘ，２）＝１をもたらす２つのＳＲＳパラメータセットから選択を行うことができる。すなわち、ｅＮＢは、（ＩＦＤＭＡ-ｃｏｍｂ１、循環シフト１など）を使用するＳＲＳパラメータセット１を選択することも、或いは（ＩＦＤＭＡ-ｃｏｍｂ３、循環シフト３など）を使用するＳＲＳパラメータセット３を選択することもでき、いずれの選択においてもｎ＝ｍｏｄ（ｘ，２）＝１となる。これにより、関連するシグナリングオーバーヘッドを高めることなくＳＲＳ送信のためのｅＮＢ／無線アクセスノード２０の柔軟性が向上する。
【００６２】
いくつかのシナリオでは、ｅＮＢが、リスンビフォアトーク（ＬＢＴ）手順のための延長時間を提供するために、ＳＲＳ送信に使用できる可能性がある短縮されたサブフレームを使用したいと望むことがある。同じスペクトル上には、ｅＮＢに属していない又はｅＮＢに結び付くための初期伝送を送信中である他のモバイル装置が存在することもあるため、ＬＢＴはアンライセンス帯域での干渉を避けるための共通する方法であり、従ってｅＮＢが送信前に多少のＬＢＴ期間にわたって待機することなどができる。この場合、ｅＮＢは、ＵＬ送信バーストの最後のサブフレームではＳＲＳをトリガしない。代わりに、ｅＮＢは、ｅＮＢがスケジュールしたＵＬ送信バーストの最後にｅＮＢのＬＢＴ期間にとって十分な時間が確実に存在するように空のＳＲＳシンボルを予約することによって、次のＤＬ送信バーストをサブフレーム境界で開始できるようにする。ｅＮＢは、ｅＮＢによる複数のＵＬサブフレームのグラントによってスケジュールされたＵＬ送信バーストの最後のサブフレームがｎによって選択されるＳＲＳセットの数を最小化することによってＳＲＳパラメータセットを構成する際に、この種の動作を考慮することができる。
【００６３】
本教示の実施形態を実装する１つの技術的効果は、異なる汎用ＳＲＳパラメータセット（ＩＦＤＭＡ-ｃｏｍｂ、循環シフトなど）を可能にするマルチサブフレームグラントを用いたコンパクトなＳＲＳ要求が可能になると同時に、全体的な柔軟性から離れて多くを犠牲にすることなくネットワークがＳＲＳ送信のための特定のサブフレームを選択できるようになる点である。例えば、シンボル＃１３でのＰＵＳＣＨ送信が許可されていない単一のＵＬサブフレームの場合、異なるＳＲＳパラメータセット内のｘの値にかかわらずにｎ＝ｍｏｄ（ｘ，１）がｎ＝１を導くので、モジュロ演算を利用する第２の実施形態では３つの異なる汎用ＳＲＳパラメータセット（ＩＦＤＭＡ-ｃｏｍｂ  ｘ、循環シフトｘなど）を全て自由に選択することができる。
【００６４】
本教示は、別個のパラメータセット及びタイミング指示とは対照的にＤＣＩオーバーヘッドを大幅に低減することができ、例えば（単一のＵＬマルチサブフレームグラントからＮ個のサブフレームをスケジュールすることができる）ｃｅｉｌｉｎｇ（ｌｏｇ2（Ｎ））＋２ビットの代わりにわずか２ビットになる。この場合、２ビットが１つのＳＲＳパラメータセット（ＩＦＤＭＡ−ｃｏｍｂ、循環シフトなど）を識別し、ＳＲＳ送信の時間位置を表すｃｅｉｌｉｎｇ（ｌｏｇ2（Ｎ））個のビットが存在する（上記の非限定的な例と同様に、これらのｃｅｉｌｉｎｇ（ｌｏｇ2（Ｎ））個のタイミングビットは、シンボル１２で終了するＰＵＳＣＨの指示とは完全に無関係であることを前提とする）。
【００６５】
さらに、本教示の実施形態は、ＳＲＳリソースの柔軟な利用を可能にしながらＳＲＳオーバーヘッドを最小化する。例えば、ＳＲＳを送信するＵＥの数に基づいてＵＬ送信バースト内のＳＲＳシンボルの数を動的に調整することができる。
【００６６】
上記のブロックＡＣＫ／ＮＡＣＫのシグナリング及びそのトリガの概念については、アンライセンススペクトルにおけるｅＬＡＡ及びＭｕｌｔｅＦｉｒｅの文脈で説明した。これらの文脈におけるブロックＡＣＫ／ＮＡＣＫは本教示の一部である。ライセンス帯域のＵＬ  ＳＣｅｌｌを用いたＬＴＥ動作では、ＨＡＲＱ−ＡＣＫフィードバックが決定論的な／所定のタイミングに従い、ＰＤＳＣＨ  ＴＢのＨＡＲＱ−ＡＣＫが、サブフレームｎ＋４以降の最初の利用可能なＵＬサブフレームで搬送される。しかしながら、リスンビフォアトーク要件に従うｅＬＡＡ  ＳＣｅｌｌでのＨＡＲＱ−ＡＣＫ送信では、チャネルアクセス機構が、所与の時点におけるＨＡＲＱ−フィードバックチャネル（ＰＵＣＣＨ又はＰＵＳＣＨ）の利用可能性に不確実性をもたらす。このため、ｅＬＡＡ動作が所定のＨＡＲＱ−ＡＣＫタイミングに依拠することができず、ＨＡＲＱ−ＡＣＫフィードバックの予期せぬ遅延に対処するための（単複の）機構が必要になる。本明細書に開示するブロックＡＣＫ／ＮＡＣＫ技術は、このような機構である。
【００６７】
ＬＢＴ手順がＨＡＲＱ−ＡＣＫフィードバックに影響するシナリオは、ＬＴＥにとっては目新しいものであるが、アンライセンススペクトルで使用される他の技術の文脈では同様の検討が行われてきた。一例として、Ｗｉ−Ｆｉ（すなわち、８０２．１１ｅ／ｎ）は、１つの局が別の局にビットマップ［２］を用いて複数のフレームの確認応答を行うように要求できるブロック確認応答（Ｂｌｏｃｋ  Ａｃｋｎｏｗｌｅｄｇｅｍｅｎｔ）と呼ばれる機構をサポートしている。とりわけｅＬＡＡは、たとえＬＢＴが原因で時々ＵＬ送信を一時停止する必要があるとしても、全てのＨＡＲＱ−フィードバックをアンライセンスキャリア上に保持できるので、ｅＬＡＡにも同様の方法が有用かつ必要と思われる。
【００６８】
ＬＴＥの文脈では、ＨＡＲＱ−ＡＣＫフィードバックのタイミングの不確実性を考慮すると、Ｂｌｏｃｋ−ＡＣＫをサブフレームではなくＨＡＲＱプロセスに直接関連付けるのは当然のことである。このことは、ＬＢＴ要件と非常に柔軟なＵＬ−ＤＬ「コンフィギュレーション」とによって必然的に生じる曖昧さを回避するのに役立つ。トリガ機構自体について言えば、非周期的ＣＳＩのトリガ原理を再利用し、ＵＬグラント内の２〜３ビットがＰＵＳＣＨを用いてＢｌｏｃｋ−ＡＣＫを報告すべきキャリアを示すようにすることが単純な解決策である。この結果、キャリアの一部のみのフィードバックをトリガすることによってＨＡＲＱ−ＡＣＫフィードバックに関連するオーバーヘッドの管理が可能になる。リソース割り当て及びチャネルコーディング原理は、Ａ−ＣＳＩフレームワークから直接借用することができる。
【００６９】
図４Ａは、上記のＵＥ１０又はその他のモバイル装置の観点からの態様の一部を要約したプロセスフロー図である。図４Ａには、基準信号又はチャネル状態情報（ＣＳＩ）レポートの送信方法を詳述する。この要約では、ブロック４０２において、各セットがタイミング指示を含む複数のパラメータセットのコンフィギュレーションをＵＥが受け取り、上記の例のパラメータｘはこのようなタイミング指示である。次に、ブロック４０４において、ＵＥが、複数のアップリンクサブフレーム（例えば、ＰＵＳＣＨ）を割り当てるグラント（例えば、ＰＤＣＣＨ）を受け取り、これらのアップリンクサブフレームの少なくともいくつかは、その一部のみにおいてアップリンク送信が禁止されるように短縮することができる。ある実施形態では、いずれのサブフレームもその最後のシンボル上で短縮されずにＳＲＳがトリガされる場合、この組み合わせを用いてＵＬ送信バーストのＵｐＰＴＳ部分で、すなわちＤＬの部分的な最終サブフレームでＳＲＳをトリガすることができる。このオプションに従う場合、ＳＲＳトリガは、対応するＳＲＳパラメータセットによって定義されたパラメータに従うことができる。唯一の相違点は、タイミング指示及びパラメータｘが特有の方法で解釈される点である。換言すれば、いずれのサブフレームもその最後のシンボル上で短縮されずにＳＲＳがトリガされる場合、ＵＥは、最初のスケジュールされたアップリンクサブフレームに先行するサブフレームの最後のシンボルでＳＲＳを送信する。上記の例では、これらの短縮されたＵＬサブフレームが、シンボル位置＃１３でのＰＵＳＣＨ送信が禁止されたサブフレームであった（すなわち、ＵＥがシンボル位置＃１３でＳＲＳを送信する予定でなければ、これらのサブフレームは、実際上シンボル位置＃１２で終了する）。ブロック４０６には、ＵＥがグラントに基づいて複数のアップリンクサブフレームのうちのどのアップリンクサブフレームが短縮されているかを判定する旨を要約しており、ブロック４０８において、ＵＥは、グラントから基準信号及び／又はＣＳＩレポートが要求されたと判定し、ブロック４１０において、ＵＥは、グラントから複数のパラメータセットのうちの選択されたパラメータセットを決定する。次に、ブロック４１２において、ＵＥは、複数の割り当てられたアップリンクサブフレームのうちのどのアップリンクサブフレームが短縮されているかの判定に基づいて、複数のアップリンクサブフレームの中から１つのアップリンクサブフレームを識別する。割り当ての中に少なくとも１つの短縮されたサブフレームが存在する場合、ＵＥは、選択されたパラメータセット（上記の例では、この選択されたパラメータセットがｎ＝ｘによって、又はｘに対してモジュロ演算を実行してｎの値を解くことによって与えられる）からのタイミング指示を用いてこの１つのアップリンクサブフレームを識別する。或いは、このような短縮されたサブフレームが存在しない場合、この事実により、このアップリンクサブフレームはマルチサブフレーム割り当てにおけるこれらの全てのＵＬサブフレームに先行するものとして識別される。最後に、ブロック４１４において、ＵＥは、ブロック４０８におけるグラントの要求毎に、識別されたアップリンクサブフレームで基準信号及び／又はＣＳＩレポートを送信する。
【００７０】
図４Ａには、ＵＥなどの装置又はその１又は２以上の構成要素が実行する動作、及び有形的に具体化されたコンピュータソフトウェアプログラムがＵＥの１又は２以上のプロセッサによって実行された時にこのようなプログラムによって制御されるようなＵＥが実行する機能も示す。
【００７１】
図４Ｂは、上記のｅＮＢ又はその他のネットワーク無線アクセスノード２０の観点からの態様の一部を要約したプロセスフロー図である。図４Ｂには、基準信号及び／又はチャネル状態情報（ＣＳＩ）レポートの送信をトリガする方法を詳述する。このトリガはｅＮＢ／無線アクセスノードによって行われ、ＵＥは、送信を行うようにトリガされるエンティティである。この要約では、ブロック４５２において、各セットがタイミング指示を含む複数のパラメータセットのコンフィギュレーションをｅＮＢがＵＥに送信する。ブロック４５４において、ｅＮＢは、ＵＥにスケジュールすべき複数のアップリンクサブフレームを決定する。これまで数多くの例を用いて詳述したように、これらの複数のアップリンクサブフレームの少なくともいくつかは、その一部のみにおいてアップリンク送信が禁止されるように短縮することができる。さらに、ブロック４５６において、ｅＮＢは、ＵＥが基準信号及び／又はＣＳＩレポート及び／又はブロックＡＣＫ／ＮＡＣＫを送信すべき１つのサブフレームである１つの短縮されたアップリンクサブフレームを識別する。次に、ブロック４５８において、ｅＮＢは、複数のパラメータセットのうちの１つを選択する。複数のアップリンクサブフレームのうちの少なくとも１つが短縮されている場合、このパラメータセットは、対応するタイミング指示が複数のアップリンクサブフレームの中から識別された１つのアップリンクサブフレームを示すように選択され、上記の例では、この識別されるアップリンクサブフレームが常に短縮されたアップリンクサブフレームである。上記の例では、この選択がｎの値の選択であり、ｘの値はタイミング指示によって与えられるので、この選択は、実施形態がｎ＝ｘを利用するか、それともｎ＝ｘに対する何らかのモジュロ関数（又は他の実装）を利用するかに大きく依存する。ｅＮＢは、ＵＥにＳＲＳパラメータセットを割り当てる際に他のＵＥを考慮することもできる。ｅＮＢは、ｋ個のサブフレームのマルチサブフレームスケジューリング期間中にＳＲＳを送信するようにトリガされる全てのＵＥに直交ＳＲＳリソースを提供することもできる。これらのｋ個のサブフレーム中にＳＲＳを送信するようにトリガされるＵＥの数は、ｋ個のサブフレームのマルチサブフレームスケジューリング期間中にｅＮＢがどれだけの短縮されたサブフレームを割り当てるかについての決定に影響を与えることもできる。ＵＥに対してスケジュールされた複数のアップリンクサブフレームのうちのいずれのアップリンクサブフレームも短縮されていない場合、この事実により、これらの複数のサブフレームの全てに先行する特定のアップリンクサブフレームが、ブロック４５６において識別される、ＵＥがＳＲＳ及び／又はＡ−ＣＳＩ及び／又はブロックＡＣＫ／ＮＡＣＫを送信するためのサブフレームとして示される。最後に、ブロック４６０において、ｅＮＢは、複数のアップリンクサブフレームに対してＵＥをスケジュールしてＵＥが基準信号及び／又はＣＳＩレポートを送信するようにトリガするとともに、選択されたパラメータセットと、複数のアップリンクサブフレームのうちのどのアップリンクサブフレームが短縮されているかとをさらに識別するグラントをＵＥに送信する。
【００７２】
図４Ｂには、ｅＮＢなどの無線アクセスノードなどの通信装置又はその１又は２以上の構成要素が実行する動作、及び有形的に具体化されたコンピュータソフトウェアプログラムがこの同じアクセスノードの１又は２以上のプロセッサによって実行された時にこのようなプログラムによって制御されるようなアクセスノードが実行する機能も示す。
【００７３】
図５は、図１に示すｅＮＢ／無線アクセスノード２０及びＵＥ１０のいくつかの構成要素を示す概略図である。無線システム／セルでは、無線ネットワークが、ＮｏｄｅＢ（基地局）、具体的にはｅＮＢ２０などの無線ネットワークアクセスノードを介して、ＵＥ１０と呼ぶことができるモバイル通信装置などの装置と無線リンク１１を通じて通信するように適合される。ネットワークは、電話網及び／又はデータ通信網（例えば、インターネット）などのさらなるネットワークとの接続性を提供する、モビリティ管理エンティティ／サービングゲートウェイ（ＭＭＥ／Ｓ−ＧＷ）機能を含むことができるネットワーク制御要素（ＮＣＥ、図示せず）を含むことができる。
【００７４】
ＵＥ１０は、コンピュータ又はデータプロセッサ（ＤＰ）１０Ｄなどのコントローラと、コンピュータ命令のプログラム（ＰＲＯＧ）１０Ｃを記憶するメモリ（ＭＥＭ）１０Ｂとして具体化されるコンピュータ可読記憶媒体と、１又は２以上のアンテナを介してｅＮＢ２０と双方向無線通信を行うための無線周波数（ＲＦ）送信機／受信機の組み合わせ１０Ｄなどの好適な無線インターフェイスとを含む。
【００７５】
ＵＥ１０とｅＮＢ２０との間の無線リンクはリンク品質（例えば、受信信号強度又は品質）について測定することができ、この情報は、上記の教示に従ってトリガすることができるＡ−ＣＳＩレポートに含まれるものである。さらに、通常、ＵＥ１０は、ガルバニ電源（又は他のポータブル電源）を含み、図示の唯一のアンテナを上回る複数のアンテナを有することができ、ＭＥＭ  １０Ｂ及びＤＰ  １０Ａは、実質的に単一ユニットとして動作する複数の異なる物理エンティティとして実装することができ、異なるスペクトル上で通信して異なる無線アクセス技術を使用する複数の異なる無線機、或いは１又は２以上のソフトウェア無線機を有することができる。
【００７６】
ｅＮＢ２０も、コンピュータ又はデータプロセッサ（ＤＰ）２０Ａなどのコントローラと、コンピュータ命令のプログラム（ＰＲＯＧ）２０Ｃを記憶するメモリ（ＭＥＭ）２０Ｂとして具体化されるコンピュータ可読記憶媒体と、１又は２以上のアンテナを介してＵＥ１０と双方向無線通信を行うための無線周波数（ＲＦ）送信機／受信機の組み合わせ２０Ｄなどの好適な無線インターフェイスとを含む。ｅＮＢ２０は、データ／制御パス（図示せず）を介してＮＣＥに結合され、このパスはインターフェイスとして実装することができる。ｅＮＢ２０は、異なるインターフェイスとして実装できる別のデータ／制御パスを介して別のｅＮＢ２０に結合することもできる。通常、ｅＮＢ２０は、図示の唯一のアンテナを上回る複数のアンテナ、異なるスペクトル上で通信して異なる無線アクセス技術を使用する１又は２以上のソフトウェア無線機を含むことも又は含まないこともある複数の異なる無線機を有し、ＵＥ１０と同様に、ｅＮＢ２０のＭＥＭ  １０Ｂ及びＤＰ  １０Ａも、実質的に単一ユニットとして動作する複数の異なる物理エンティティとして実装することができる。
【００７７】
ＰＲＯＧ  １０Ｃ／２０Ｃの少なくとも一方は、関連するＤＰ  １０Ａ／２０Ａによって実行された時に、上記で詳述したような本発明の例示的な実施形態に従って装置が動作できるようにするプログラム命令を含むと想定される。すなわち、本発明の様々な例示的な実施形態は、少なくとも部分的に、ＵＥ１０のＤＰ  １０Ａ、ｅＮＢ２０のＤＰ  ２０Ａが実行できるコンピュータソフトウェアによって、又はハードウェアによって、或いはソフトウェアとハードウェア（及びファームウェア）の組み合わせによって実装することができる。
【００７８】
様々な例示的な実施形態では、ＵＥ１０及び／又はｅＮＢ２０が、例えばＲＲＣモジュール及びＲＦフロントエンドなどの専用プロセッサを含むこともできる。本教示の様々な例示的な実施形態に従って動作するように構成された１又は２以上のモジュールが存在することもできる。
【００７９】
コンピュータ可読ＭＥＭ  １０Ｂ／２０Ｂは、ローカル技術環境に適したあらゆるタイプのものとすることができ、半導体記憶装置、フラッシュメモリ、磁気記憶装置及びシステム、光記憶装置及びシステム、固定メモリ及び取り外し可能メモリ、電磁、赤外線又は半導体システムなどの、いずれか１つ又は２つ以上の好適なデータ記憶技術を用いて実装することができる。コンピュータ可読記憶媒体／メモリのさらに具体的な例の非包括的なリストとしては、１又は２以上のワイヤを有する電気的接続、ポータブルコンピュータディスケット、ハードディスク、ランダムアクセスメモリ（ＲＡＭ）、リードオンリメモリ（ＲＯＭ）、消去可能プログラム可能なリードオンリメモリ（ＥＰＲＯＭ又はフラッシュメモリ）、光ファイバ、ポータブルコンパクトディスクリードオンリメモリ（ＣＤ−ＲＯＭ）、光学記憶装置、磁気記憶装置、又はこれらのあらゆる好適な組み合わせが挙げられる。
【００８０】
ＤＰ１０Ａ／２０Ａは、ローカル技術環境に適したいずれかのタイプとすることができ、非限定的な例として、汎用コンピュータ、専用コンピュータ、マイクロプロセッサ、デジタルシグナルプロセッサ（ＤＳＰ）及びマルチコアプロセッサアーキテクチャに基づくプロセッサのうちの１つ又は２つ以上を含むことができる。無線インターフェイス（例えば、無線機１０Ｄ／２０Ｄ）は、ローカル技術環境に適したあらゆるタイプのものとすることができ、個々の送信機、受信機、トランシーバ、又はこのようなコンポーネントの組み合わせなどのあらゆる好適な通信技術を用いて実装することができる。
【００８１】
一般に、ＵＥ１０の様々な実施形態は、以下に限定するわけではないが、スマートフォン、機械間（Ｍ２Ｍ）通信装置、携帯電話機、無線通信能力を有する携帯情報端末（ＰＤＡ）、無線通信能力を有するポータブルコンピュータ、無線通信能力を有するデジタルカメラなどの画像取り込み装置、無線通信能力を有するゲーム機、無線通信能力を有する音楽記憶及び再生機器、無線インターネットアクセス及びブラウジングが可能なインターネット家電、並びにこのような機能の組み合わせを内蔵するポータブル装置又は端末を含むことができる。これらは、いずれも持ち運び可能な装置、ウェアラブル装置、全体的又は部分的に埋め込まれた装置及び車載型通信装置などとして具体化することができる。
【００８２】
上述した説明は、例示にすぎないと理解されたい。当業者であれば、様々な代替例及び修正例を考案することができる。例えば、様々な従属請求項に記載する特徴は、あらゆる好適な組み合わせで互いに組み合わせることができる。また、上述した異なる実施形態からの特徴を選択的に組み合わせて、本明細書では他の実施形態と切り離した形で具体的に詳述していない新たな実施形態とすることもできる。従って、この説明は、添付の特許請求の範囲に収まるこのような全ての代替形態、修正形態及び変形形態を含むように意図されている。
【００８３】
本明細書及び／又は図面の図に見出すことができる以下の略語については以下のように定義する。
３ＧＰＰ  第３の世代パートナーシッププロジェクト
ＡＣＫ  確認応答
ＣＳＩ  チャネル状態情報
ＤＣＩ  ダウンリンク制御情報
ＤＬ  ダウンリンク
ｅＬＡＡ  拡張ライセンス補助アクセス
ｅＮＢ  進化型ＮｏｄｅＢ
ＥＴＳＩ  欧州電気通信標準化機構
ＦＤＤ  周波数分割二重
ＦＳ２  フレーム構造２（ＬＴＥ  ＴＤＤのフレーム構造）
ＨＡＲＱ  ハイブリッド自動再送要求
ＩＦＤＭＡ  インタリーブ周波数領域多元接続
ＬＡＡ  ライセンス補助アクセス
ＬＢＴ  リスンビフォアトーク
ＬＴＥ  ロングタームエボリューション
ＮＡＣＫ  否定ＡＣＫ
ＯＦＤＭ  直交周波数分割多元接続
ＰＣｅｌｌ  プライマリセル
ＰＤＣＣＨ  物理ダウンリンク制御チャネル
ＰＲＢ  物理リソースブロック
ＰＵＣＣＨ  物理アップリンク制御チャネル
ＰＵＳＣＨ  物理アップリンク共有チャネル
ＴＢ  トランスポートブロック
ＴＭ  送信モード
ＳＣｅｌｌ  セカンダリセル
ＳＲＳ  サウンディング基準信号
ＴＤＤ  時分割二重
ＵＥ  ＵＥ装置
ＵＬ  アップリンク
【符号の説明】
【００８４】
４０２  各セットがタイミング指示（例えば、パラメータｘ）を含む複数のパラメータセットのコンフィギュレーションを受け取る
４０４  複数のアップリンクサブフレームを割り当てるグラントを受け取る
４０６  グラントに基づいて、複数のアップリンクサブフレームのうちのどのアップリンクサブフレームがその一部のみにおいてアップリンク送信が禁止されるように短縮されているかを判定
４０８  グラントから基準信号及び／又はＣＳＩレポート及び／又はブロックＡＣＫ／ＮＡＣＫが要求されたと判定
４１０  グラントから複数のパラメータセットのうちの選択されたパラメータセットを決定
４１２  複数の割り当てられたアップリンクサブフレームのうちのどのアップリンクサブフレームが短縮されているかの判定に基づいて１つのアップリンクサブフレームを識別
４１４  グラントによって要求された基準信号及び／又はＣＳＩレポート及び／又はブロックＡＣＫ／ＮＡＣＫを識別されたアップリンクサブフレームで送信
【図１Ａ】
2019522916.tif 000004
【図１Ｂ】
2019522916.tif 000005
【図２】
2019522916.tif 000006
【図３】
2019522916.tif 000007
【図４Ａ】
2019522916.tif 000008
【図４Ｂ】
2019522916.tif 000009
【図５】
2019522916.tif 000010
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、
コンピュータプログラムコードを記憶する少なくとも１つのメモリと、
を備えた装置であって、前記少なくとも１つのプロセッサは、前記少なくとも１つのメモリ及び前記コンピュータプログラムコードと協働して、ユーザ装置（ＵＥ）に少なくとも、
各セットがタイミング指示を含む複数のパラメータセットのコンフィギュレーションと、複数のアップリンクサブフレームを割り当てるグラントとを受け取ったことに応答して、前記グラントに基づいて、前記複数の割り当てられたアップリンクサブフレームのうちのどのアップリンクサブフレームがその一部のみにおいてアップリンク送信が禁止されるように短縮されているかを判定するステップと、
前記グラントから、基準信号及び／又はＣＳＩレポート及び／又はブロック確認応答が要求されたと判定するステップと、
前記グラントから、前記複数のパラメータセットのうちの１つの選択されたパラメータセットを判定するステップと、
前記複数の割り当てられたアップリンクサブフレームのうちのどのアップリンクサブフレームが短縮されているかについての前記判定に基づいて１つのアップリンクサブフレームを識別するステップと、
前記グラントによって要求された前記基準信号及び／又は前記ＣＳＩレポート及び／又はブロック確認応答を前記識別されたアップリンクサブフレームで送信するステップと、
を行わせることによって、前記ＵＥに前記基準信号及び／又はチャネル状態情報（ＣＳＩ）レポート及び／又はブロック確認応答を送信させるように構成される、
ことを特徴とする装置。
【請求項２】
前記複数の割り当てられたアップリンクサブフレームがいずれも短縮されていないと判定された場合、前記識別されるアップリンクサブフレームは、全ての前記複数の割り当てられたアップリンクサブフレームの前のアップリンクサブフレームである、
請求項１に記載の装置。
【請求項３】
前記複数の割り当てられたアップリンクサブフレームのうちの少なくとも１つのアップリンクサブフレームが短縮されていると判定され、前記識別される１つのアップリンクサブフレームは、前記選択されたパラメータセットからの前記タイミング指示を用いて、前記複数の割り当てられた短縮されたアップリンクサブフレームのみから識別される、
請求項１又は２に記載の装置。
【請求項４】
前記パラメータセットの各々における前記タイミング指示は、前記複数の割り当てられたアップリンクサブフレームに対するサブフレームタイミングを示す、
請求項３に記載の装置。
【請求項５】
前記１つのアップリンクサブフレームを識別するステップは、前記選択されたパラメータセットからの前記タイミング指示の値に等しい数のサブフレームを、前記短縮されたアップリンクサブフレームのみの中でカウントするステップを含む、
請求項４に記載の装置。
【請求項６】
前記１つのアップリンクサブフレームを識別するステップは、前記選択されたパラメータセットからの前記タイミング指示の値と、前記複数のアップリンクフレームの中の短縮されたアップリンクフレームのみの総数とに対するモジュロ演算の結果に等しい数のサブフレームを、前記短縮アップリンクサブフレームのみの中でカウントするステップを含む、
請求項４に記載の装置。
【請求項７】
前記基準信号及び／又は前記ＣＳＩレポート及び／又はブロック確認応答は、前記複数のパラメータセットのうちの前記選択された１つのパラメータセットによって識別される１又は２以上のアンテナポートから送信される、
請求項１から６のいずれか１項に記載の装置。
【請求項８】
基準信号及び／又はチャネル状態情報（ＣＳＩ）レポート及び／又はブロック確認応答の送信方法であって、
各セットがタイミング指示を含む複数のパラメータセットのコンフィギュレーションを受け取るステップと、
複数のアップリンクサブフレームを割り当てるグラントを受け取るステップと、
前記グラントに基づいて、前記複数の割り当てられたアップリンクサブフレームのうちのどのアップリンクサブフレームがその一部のみにおいてアップリンク送信が禁止されるように短縮されているかを判定するステップと、
前記グラントから、基準信号及び／又はＣＳＩレポート及び／又はブロック確認応答が要求されたと判定するステップと、
前記グラントから、前記複数のパラメータセットのうちの選択された１つのパラメータセットを判定するステップと、
前記複数の割り当てられたアップリンクサブフレームのうちのどのアップリンクサブフレームが短縮されているかについての前記判定に基づいて１つのアップリンクサブフレームを識別するステップと、
前記グラントによって要求された前記基準信号及び／又は前記ＣＳＩレポート及び／又はブロック確認応答を前記識別されたアップリンクサブフレームで送信するステップと、
を含むことを特徴とする方法。
【請求項９】
少なくとも１つのプロセッサと、
コンピュータプログラムコードを記憶する少なくとも１つのメモリと、
を備えた装置であって、前記少なくとも１つのプロセッサは、前記少なくとも１つのメモリ及び前記コンピュータプログラムコードと協働して、無線アクセスノードに少なくとも、
各セットがタイミング指示を含む複数のパラメータセットのコンフィギュレーションをユーザ装置（ＵＥ）に送信するステップと、
ＵＥに対してスケジュールすべき複数のアップリンクサブフレームを決定するステップと、
ＵＥが基準信号及び／又はＣＳＩレポート及び／又はブロック確認応答を送信すべき１つのアップリンクサブフレームを識別するステップと、
前記複数のパラメータセットのうちの１つのパラメータセットを選択するステップであって、前記複数のアップリンクサブフレームのうちの少なくとも１つのアップリンクサブフレームが、その一部のみにおいてアップリンク送信が禁止されるように短縮されている場合、前記選択されたパラメータセットの前記タイミング指示が、前記識別された１つのアップリンクサブフレームを示すステップと、
前記複数のアップリンクサブフレームに対して前記ＵＥをスケジュールして前記ＵＥが基準信号及び／又はＣＳＩレポート及び／又はブロック確認応答を送信するようにトリガするとともに、前記選択されたパラメータセットと、前記複数のアップリンクサブフレームのうちのどのアップリンクサブフレームが短縮されているかとをさらに識別するグラントを前記ＵＥに送信するステップと、
を行わせることによって、前記無線アクセスノードにに基準信号及び／又はチャネル状態情報（ＣＳＩ）レポート及び／又はブロック確認応答の送信をトリガさせるように構成される、
ことを特徴とする装置。
【請求項１０】
前記グラントが、前記複数の割り当てられたアップリンクサブフレームがいずれも短縮されていないと識別した場合、前記識別されるアップリンクサブフレームは、全ての前記複数の割り当てられたアップリンクサブフレームの前のアップリンクサブフレームである、
請求項９に記載の装置。
【請求項１１】
前記グラントは、前記複数の割り当てられたアップリンクサブフレームのうちの少なくとも１つのアップリンクサブフレームが短縮されていると識別する、
請求項９又は１０に記載の装置。
【請求項１２】
前記パラメータセットの各々における前記タイミング指示は、前記複数のアップリンクサブフレームに対するサブフレームタイミングを示し、前記選択されたパラメータセットの前記タイミング指示、及び前記グラントは、前記識別された１つのアップリンクサブフレームを示す、
請求項１１に記載の装置。
【請求項１３】
前記複数のパラメータセットのうちの前記１つのパラメータセットを選択するステップは、対応するタイミング指示の値が、前記短縮されたアップリンクサブフレームのみの中の短縮されたアップリンクサブフレームである前記識別された１つのアップリンクサブフレームまでのカウントに等しい、前記パラメータセットのうちの１つのパラメータセットを選択するステップを含む、
請求項１２に記載の装置。
【請求項１４】
基準信号及び／又はチャネル状態情報（ＣＳＩ）レポート及び／又はブロック確認応答の送信をトリガする方法であって、
各セットがタイミング指示を含む複数のパラメータセットのコンフィギュレーションをユーザ装置（ＵＥ）に送信するステップと、
ＵＥに対してスケジュールすべき複数のアップリンクサブフレームを決定するステップと、
ＵＥが基準信号及び／又はＣＳＩレポート及び／又はブロック確認応答を送信すべき１つのアップリンクサブフレームを識別するステップと、
前記複数のパラメータセットのうちの１つのパラメータセットを選択するステップであって、前記複数のアップリンクサブフレームのうちの少なくとも１つのアップリンクサブフレームが、その一部のみにおいてアップリンク送信が禁止されるように短縮されている場合、前記選択されたパラメータセットの前記タイミング指示が、前記複数のアップリンクサブフレームからの前記識別された１つのアップリンクサブフレームを示すステップと、
前記複数のアップリンクサブフレームに対して前記ＵＥをスケジュールして前記ＵＥが基準信号及び／又はＣＳＩレポート及び／又はブロック確認応答を送信するようにトリガするとともに、前記選択されたパラメータセットと、前記複数のアップリンクサブフレームのうちのどのアップリンクサブフレームが短縮されているかとをさらに識別するグラントを前記ＵＥに送信するステップと、
を含むことを特徴とする方法。
【請求項１５】
コンピュータプログラムコードを記憶したコンピュータ可読メモリであって、前記コンピュータプログラムコードは、無線アクセスノードの１又は２以上のプロセッサによって実行された時に、前記無線アクセスノードに請求項８又は１４に記載の方法を実行させる、
ことを特徴とするコンピュータ可読メモリ。
【手続補正２】
【補正対象書類名】明細書
【補正対象項目名】０００９
【補正方法】変更
【補正の内容】
【０００９】
本教示の第１の態様では、基準信号及び／又はチャネル状態情報（ＣＳＩ）レポート及び／又はブロック確認応答の送信方法を提供する。この態様では、方法が、ａ）各セットがタイミング指示を含む複数のパラメータセットのコンフィギュレーションを受け取るステップと、ｂ）複数のアップリンクサブフレームを割り当てるグラントを受け取るステップと、ｃ）グラントに基づいて、複数の割り当てられたアップリンクサブフレームのうちのどのアップリンクサブフレームがその一部のみにおいてアップリンク送信が禁止されるように短縮されているかを判定するステップと、ｄ）グラントから、基準信号及び／又はＣＳＩレポート及び／又はブロック確認応答が要求されたと判定するステップと、ｅ）グラントから、複数のパラメータセットのうちの選択された１つのパラメータセットを判定するステップと、ｆ）複数の割り当てられたアップリンクサブフレームのうちのどのアップリンクサブフレームが短縮されているかについての判定に基づいて１つのアップリンクサブフレームを識別するステップと、ｇ）グラントによって要求された基準信号及び／又はＣＳＩレポート及び／又はブロック確認応答を識別されたアップリンクサブフレームで送信するステップとを含む。
−  複数の割り当てられたアップリンクサブフレームがいずれも短縮されていないと判定された場合、識別されるアップリンクサブフレームは、全ての複数の割り当てられたアップリンクサブフレームの直前のアップリンクサブフレームとすることができる。
−  複数の割り当てられたアップリンクサブフレームのうちの少なくとも１つのアップリンクサブフレームを短縮されていると判定することができ、識別される１つのアップリンクサブフレームは、選択されたパラメータセットからのタイミング指示を用いて、複数の割り当てられた短縮されたアップリンクサブフレームのみから識別することができる。
−  パラメータセットの各々におけるタイミング指示は、複数の割り当てられたアップリンクサブフレームに対するサブフレームタイミングを示すことができる。
−  １つのアップリンクサブフレームを識別するステップは、選択されたパラメータセットからのタイミング指示の値に等しい数のサブフレームを、短縮されたアップリンクサブフレームのみの中でカウントするステップを含むことができる。
−  １つのアップリンクサブフレームを識別するステップは、選択されたパラメータセットからのタイミング指示の値と、複数のアップリンクフレームの中の短縮されたアップリンクフレームのみの総数とに対するモジュロ演算の結果に等しい数のサブフレームを、短縮されたアップリンクサブフレームのみの中でカウントするステップを含むことができる。
−  基準信号及び／又はＣＳＩレポート及び／又はブロック確認応答は、複数のパラメータセットのうちの選択された１つのパラメータセットによって識別される１又は２以上のアンテナポートから送信することができる。
−  複数のパラメータセットのうちの選択される１つのパラメータセットは、グラント内の正確に２ビットの値から決定することができる。
−  この方法は、基準信号及び／又はＣＳＩレポート及び／又はブロック確認応答をアンライセンス無線スペクトル上で送信するユーザ装置によって実行することができる。
【手続補正３】
【補正対象書類名】明細書
【補正対象項目名】００１２
【補正方法】変更
【補正の内容】
【００１２】
本教示の第４の態様では、基準信号及び／又はチャネル状態情報（ＣＳＩ）レポート及び／又はブロック確認応答の送信をトリガする方法を提供する。この態様では、方法が、ａ）各セットがタイミング指示を含む複数のパラメータセットのコンフィギュレーションをユーザ装置（ＵＥ）に送信するステップと、ｂ）ＵＥに対してスケジュールすべき複数のアップリンクサブフレームを決定するステップと、ｃ）ＵＥが基準信号及び／又はＣＳＩレポート及び／又はブロック確認応答を送信すべき１つのアップリンクサブフレームを識別するステップと、ｄ）複数のパラメータセットのうちの１つのパラメータセットを選択するステップであって、複数のアップリンクサブフレームのうちの少なくとも１つのアップリンクサブフレームが、その一部のみにおいてアップリンク送信が禁止されるように短縮されている場合、選択されたパラメータセットのタイミング指示が、複数のアップリンクサブフレームからの識別された１つのアップリンクサブフレームを示すステップと、ｅ）複数のアップリンクサブフレームに対してＵＥをスケジュールしてＵＥが基準信号及び／又はＣＳＩレポート及び／又はブロック確認応答を送信するようにトリガするとともに、選択されたパラメータセットと、複数のアップリンクサブフレームのうちのどのアップリンクサブフレームが短縮されているかとをさらに識別するグラントをＵＥに送信するステップとを含む。
−  グラントが、複数の割り当てられたアップリンクサブフレームがいずれも短縮されていないと識別した場合、識別されるアップリンクサブフレームは、全ての複数の割り当てられたアップリンクサブフレームの前のアップリンクサブフレームとすることができる。
−  グラントは、複数の割り当てられたアップリンクサブフレームのうちの少なくとも１つのアップリンクサブフレームが短縮されていると識別することができる。
−  パラメータセットの各々におけるタイミング指示は、複数のアップリンクサブフレームに対するサブフレームタイミングを示すことができ、選択されたパラメータセットのタイミング指示、及びグラントは、識別された１つのアップリンクサブフレームを示すことができる。
−  複数のパラメータセットのうちの１つのパラメータセットを選択するステップは、対応するタイミング指示の値が、短縮されたアップリンクサブフレームのみの中の短縮されたアップリンクサブフレームである識別された１つのアップリンクサブフレームまでのカウントに等しい、パラメータセットのうちの１つのパラメータセットを選択するステップを含むことができる。
−  複数のパラメータセットのうちの１つのパラメータセットを選択するステップは、対応するタイミング指示の値と、複数のアップリンクフレームの中の短縮アップリンクフレームのみの総数とに対するモジュロ演算の結果が、短縮アップリンクサブフレームのみの中の短縮アップリンクサブフレームである識別された１つのアップリンクサブフレームまでのカウントに等しい、パラメータセットのうちの１つのパラメータセットを選択するステップを含むことができる。
−  複数のパラメータセットのうちの選択された１つのパラメータセットは、基準信号及び／又はＣＳＩレポート及び／又はブロック確認応答を送信すべきＵＥの１又は２以上のアンテナポートを識別することができる。
−  グラントは、正確に２ビットを用いて選択されたパラメータセットを識別することができる。
−  この方法は、グラントをアンライセンス無線スペクトル上で送信する無線アクセスノードによって実行することができる。
【国際調査報告】
2019522916.tif 000011
2019522916.tif 000012
2019522916.tif 000013